(57)【要約】  無線機器（３０）は、別の無線機器（２０）から第１のサイドリンク制御情報（２０４）を受信する。無線機器（３０）に格納された支援情報および受信した第１のサイドリンク制御情報に基づいて、無線機器（３０）は、第２のサイドリンク制御情報（２０６）の伝送に関する設定を決定する。第２のサイドリンク制御情報（２０６）の伝送に関する決定した設定に基づいて、無線機器は、別の無線機器から第２のサイドリンク制御情報（２０６）を受信する。受信した第２のサイドリンク制御情報（２０６）に基づいて、無線機器は、別の無線機器（２０）からのサイドリンク無線伝送を受信する。【選択図】図２
2021520724.tif 000002
【特許請求の範囲】
【請求項１】
無線通信ネットワークにおいてサイドリンク無線伝送を制御する方法であって、
無線機器（３０）が、別の無線機器（２０）から第１のサイドリンク制御情報（２０４）を受信することと、
前記無線機器（３０）に格納された支援情報および前記受信した第１のサイドリンク制御情報（２０４）に基づいて、前記無線機器（３０）が、第２のサイドリンク制御情報（２０６）の伝送に関する設定を決定することと、
前記第２のサイドリンク制御情報（２０６）の伝送に関する前記決定した設定に基づいて、前記無線機器（３０）が、前記別の無線機器（２０）から前記第２のサイドリンク制御情報（２０６）を受信することと、
前記受信した第２のサイドリンク制御情報（２０６）に基づいて、前記無線機器（３０）が、前記別の無線機器（２０）からのサイドリンク無線伝送（２０７、２０８）を受信することと、
を含む、方法。
【請求項２】
前記支援情報が、前記第２のサイドリンク制御情報（２０６）の伝送に関する複数の候補設定を規定し、
前記第１のサイドリンク制御情報（２０４）が、前記候補設定の中で、前記第２のサイドリンク制御情報（２０６）の伝送に関する前記設定を識別する、請求項１に記載の方法。
【請求項３】
前記第１のサイドリンク制御情報（２０４）が、前記候補設定の中で、前記第２のサイドリンク制御情報（２０６）の伝送に関する前記設定を識別するインデックスを含む、請求項２に記載の方法。
【請求項４】
前記第１のサイドリンク制御情報（２０４）が、前記サイドリンク無線伝送（２０７、２０８）のための無線リソースの検知ベース割り当てに関する情報を含む、請求項１から３のいずれか一項に記載の方法。
【請求項５】
前記第２のサイドリンク制御情報（２０６）が、前記サイドリンク無線伝送（２０７、２０８）に用いられる無線リソース、前記サイドリンク無線伝送（２０７、２０８）に用いられる変調および／もしくは符号化方式、前記サイドリンク無線伝送（２０７、２０８）の１つもしくは複数の再送信パラメータ、ならびに前記サイドリンク無線伝送（２０７、２０８）の優先レベル、のうちの少なくとも１つを示す情報を含む、請求項１から４のいずれか一項に記載の方法。
【請求項６】
前記第２のサイドリンク制御情報（２０６）の伝送に関する前記設定の第１の部分が、前記第１のサイドリンク制御情報（２０４）により規定され、前記第２のサイドリンク制御情報（２０６）の伝送に関する前記設定の第２の部分が、前記支援情報により規定される、請求項１から５のいずれか一項に記載の方法。
【請求項７】
前記第２のサイドリンク制御情報（２０６）の伝送に関する前記設定が、前記第２のサイドリンク制御情報（２０６）の伝送のための検索空間を構成する無線リソースを規定する、請求項１から６のいずれか一項に記載の方法。
【請求項８】
前記第２のサイドリンク制御情報（２０６）の伝送に関する前記設定が、前記第２のサイドリンク制御情報（２０６）の伝送のための複数の検索空間を構成する無線リソースおよび前記複数の検索空間の優先順位を規定する、請求項７に記載の方法。
【請求項９】
前記第２のサイドリンク制御情報（２０６）の伝送に関する前記設定が、前記第２のサイドリンク制御情報（２０６）の伝送に関するフォーマットを規定する、請求項１から８のいずれか一項に記載の方法。
【請求項１０】
前記第２のサイドリンク制御情報（２０６）の伝送に関する前記設定が、前記第２のサイドリンク制御情報（２０６）の伝送に関するアグリゲーションレベルを規定する、請求項１から９のいずれか一項に記載の方法。
【請求項１１】
前記第２のサイドリンク制御情報（２０６）の伝送に関する前記設定が、前記第２のサイドリンク制御情報（２０６）の伝送に関する変調および／または符号化方式を規定する、請求項１から１０のいずれか一項に記載の方法。
【請求項１２】
前記第１のサイドリンク制御情報（２０４）および前記第２のサイドリンク制御情報（２０６）の少なくとも一方が、前記第１のサイドリンク制御情報（２０４）および前記第２のサイドリンク制御情報（２０６）の両方の完全性を確認する共通エラー検出コードを含む、請求項１から１１のいずれか一項に記載の方法。
【請求項１３】
前記無線機器（３０）が、前記無線通信ネットワークのノード（１００）から前記支援情報の少なくとも一部を受信することと、
前記無線機器（３０）が、前記受信した支援情報を格納することと、
を含む、請求項１から１２のいずれか一項に記載の方法。
【請求項１４】
前記無線機器（３０）が、前記ノード（１００）のサービスエリアに入ったことに応答して、前記支援情報の前記少なくとも一部を受信することを含む、請求項１３に記載の方法。
【請求項１５】
前記無線機器（３０）が、前記別の無線機器（２０）から前記支援情報の少なくとも一部を受信することを含む、請求項１から１４のいずれか一項に記載の方法。
【請求項１６】
前記無線機器（３０）が、前記別の無線機器（２０）の無線カバレッジエリアに入ったことに応答して、前記支援情報の前記少なくとも一部を受信することを含む、請求項１５に記載の方法。
【請求項１７】
前記無線機器（３０）が、前記無線機器（３０）からのリクエスト（３０６、３１３）に応答して、前記支援情報の前記少なくとも一部を受信することを含む、請求項１３から１６のいずれか一項に記載の方法。
【請求項１８】
前記サイドリンク無線伝送（２０７、２０８）が、データチャネル上の伝送を含む、請求項１から１７のいずれか一項に記載の方法。
【請求項１９】
前記サイドリンク無線伝送（２０７、２０８）が、１つまたは複数の参照信号の伝送を含む、請求項１から１８のいずれか一項に記載の方法。
【請求項２０】
無線通信ネットワークにおいてサイドリンク無線伝送を制御する方法であって、
無線機器（２０）に格納された支援情報に基づいて、前記無線機器（２０）が、第１のサイドリンク制御情報（２０４）を決定することであり、前記支援情報が、前記第１のサイドリンク制御情報（２０４）を第２のサイドリンク制御情報（２０６）の伝送に関する設定に関連付ける、第１のサイドリンク制御情報（２０４）を決定することと、
前記無線機器（２０）が、前記第１のサイドリンク制御情報（２０４）を別の無線機器（３０）に送信することと、
前記設定に基づいて、前記無線機器（２０）が、前記第２のサイドリンク制御情報（２０６）を前記別の無線機器（３０）に送信することと、
前記第２のサイドリンク制御情報（２０６）に基づいて、前記無線機器（２０）が、サイドリンク無線伝送（２０７、２０８）を前記別の無線機器（３０）に送信することと、
を含む、方法。
【請求項２１】
前記支援情報が、前記第２のサイドリンク制御情報（２０６）の伝送に関する複数の候補設定を規定し、
前記第１のサイドリンク制御情報（２０４）が、前記候補設定の中で、前記第２のサイドリンク制御情報（２０６）の伝送に関する前記設定を識別する、請求項２０に記載の方法。
【請求項２２】
前記第１のサイドリンク制御情報（２０４）が、前記候補設定の中で、前記第２のサイドリンク制御情報（２０６）の伝送に関する前記設定を識別するインデックスを含む、請求項２１に記載の方法。
【請求項２３】
前記第１のサイドリンク制御情報（２０４）が、前記サイドリンク無線伝送（２０７、２０８）のための無線リソースの検知ベース割り当てに関する情報を含む、請求項２０から２２のいずれか一項に記載の方法。
【請求項２４】
前記第２のサイドリンク制御情報（２０６）が、前記サイドリンク無線伝送（２０７、２０８）に用いられる無線リソース、前記サイドリンク無線伝送（２０７、２０８）に用いられる変調および／もしくは符号化方式、前記サイドリンク無線伝送（２０７、２０８）の１つもしくは複数の再送信パラメータ、ならびに前記サイドリンク無線伝送（２０７、２０８）の優先レベル、のうちの少なくとも１つを示す情報を含む、請求項２０から２３のいずれか一項に記載の方法。
【請求項２５】
前記第２のサイドリンク制御情報（２０６）の伝送に関する前記設定の第１の部分が、前記第１のサイドリンク制御情報（２０４）により規定され、前記第２のサイドリンク制御情報（２０６）の伝送に関する前記設定の第２の部分が、前記支援情報により規定される、請求項２０から２４のいずれか一項に記載の方法。
【請求項２６】
前記第２のサイドリンク制御情報（２０６）の伝送に関する前記設定が、前記第２のサイドリンク制御情報（２０６）の伝送のための検索空間を構成する無線リソースを規定する、請求項２０から２５のいずれか一項に記載の方法。
【請求項２７】
前記第２のサイドリンク制御情報（２０６）の伝送に関する前記設定が、前記第２のサイドリンク制御情報（２０６）の伝送のための複数の検索空間を構成する無線リソースおよび前記複数の検索空間の優先順位を規定する、請求項２６に記載の方法。
【請求項２８】
前記第２のサイドリンク制御情報（２０６）の伝送に関する前記設定が、前記第２のサイドリンク制御情報（２０６）の伝送に関するフォーマットを規定する、請求項２０から２７のいずれか一項に記載の方法。
【請求項２９】
前記第２のサイドリンク制御情報（２０６）の伝送に関する前記設定が、前記第２のサイドリンク制御情報（２０６）の伝送に関するアグリゲーションレベルを規定する、請求項２０から２８のいずれか一項に記載の方法。
【請求項３０】
前記第２のサイドリンク制御情報（２０６）の伝送に関する前記設定が、前記第２のサイドリンク制御情報（２０６）の伝送に関する変調および／または符号化方式を規定する、請求項２０から２９のいずれか一項に記載の方法。
【請求項３１】
前記第１のサイドリンク制御情報（２０４）および前記第２のサイドリンク制御情報（２０６）の少なくとも一方が、前記第１のサイドリンク制御情報（２０４）および前記第２のサイドリンク制御情報（２０６）の両方の完全性を確認する共通エラー検出コードを含む、請求項２０から３０のいずれか一項に記載の方法。
【請求項３２】
前記無線機器（２０）が、前記無線通信ネットワークのノード（１００）から前記支援情報の少なくとも一部を受信することと、
前記無線機器（２０）が、前記受信した支援情報を格納することと、
を含む、請求項２０から３１のいずれか一項に記載の方法。
【請求項３３】
前記無線機器（２０）が、前記ノード（１００）のサービスエリアに入ったことに応答して、前記支援情報の前記少なくとも一部を受信することを含む、請求項３２に記載の方法。
【請求項３４】
前記無線機器（２０）が、前記別の無線機器（３０）から前記支援情報の少なくとも一部を受信することを含む、請求項２０から３３のいずれか一項に記載の方法。
【請求項３５】
前記無線機器（２０）が、前記別の無線機器（３０）の無線カバレッジエリアに入ったことに応答して、前記支援情報の前記少なくとも一部を受信することを含む、請求項３４に記載の方法。
【請求項３６】
前記無線機器（２０）が、前記無線機器（２０）からのリクエスト（３０２）に応答して、前記支援情報の前記少なくとも一部を受信することを含む、請求項３２から３５のいずれか一項に記載の方法。
【請求項３７】
前記サイドリンク無線伝送（２０７、２０８）が、データチャネル上の伝送を含む、請求項２０から３６のいずれか一項に記載の方法。
【請求項３８】
前記サイドリンク無線伝送（２０７、２０８）が、１つまたは複数の参照信号の伝送を含む、請求項２０から３７のいずれか一項に記載の方法。
【請求項３９】
無線通信ネットワークにおいてサイドリンク無線伝送を制御する方法であって、
支援情報を第１の無線機器（２０）に提供することと、
前記支援情報を第２の無線機器（３０）に提供することであり、前記支援情報が、前記第１の無線機器（２０）から前記第２の無線機器（３０）に送信された第１のサイドリンク制御情報（２０４）を前記第１の無線機器（２０）から前記第２の無線機器（３０）への第２のサイドリンク制御情報（２０６）の伝送に関する設定に関連付ける、前記支援情報を第２の無線機器（３０）に提供することと、
を含む、方法。
【請求項４０】
前記支援情報が、前記第２のサイドリンク制御情報（２０６）の伝送に関する複数の候補設定を規定し、
前記第１のサイドリンク制御情報（２０４）が、前記候補設定の中で、前記第２のサイドリンク制御情報（２０６）の伝送に関する前記設定を識別する、請求項３９に記載の方法。
【請求項４１】
前記第１のサイドリンク制御情報（２０４）が、前記候補設定の中で、前記第２のサイドリンク制御情報（２０６）の伝送に関する前記設定を識別するインデックスを含む、請求項４０に記載の方法。
【請求項４２】
前記第１のサイドリンク制御情報（２０４）が、前記サイドリンク無線伝送（２０７、２０８）のための無線リソースの検知ベース割り当てに関する情報を含む、請求項３９から４１のいずれか一項に記載の方法。
【請求項４３】
前記第２のサイドリンク制御情報（２０６）が、前記サイドリンク無線伝送（２０７、２０８）に用いられる無線リソース、前記サイドリンク無線伝送（２０７、２０８）に用いられる変調および／もしくは符号化方式、前記サイドリンク無線伝送（２０７、２０８）の１つもしくは複数の再送信パラメータ、ならびに前記サイドリンク無線伝送（２０７、２０８）の優先レベル、のうちの少なくとも１つを示す情報を含む、請求項３９から４２のいずれか一項に記載の方法。
【請求項４４】
前記第２のサイドリンク制御情報（２０６）の伝送に関する前記設定の第１の部分が、前記第１のサイドリンク制御情報（２０４）により規定され、前記第２のサイドリンク制御情報（２０６）の伝送に関する前記設定の第２の部分が、前記支援情報により規定される、請求項３９から４３のいずれか一項に記載の方法。
【請求項４５】
前記第２のサイドリンク制御情報（２０６）の伝送に関する前記設定が、前記第２のサイドリンク制御情報（２０６）の伝送のための検索空間を構成する無線リソースを規定する、請求項３９から４４のいずれか一項に記載の方法。
【請求項４６】
前記第２のサイドリンク制御情報（２０６）の伝送に関する前記設定が、前記第２のサイドリンク制御情報（２０６）の伝送のための複数の検索空間を構成する無線リソースおよび前記複数の検索空間の優先順位を規定する、請求項４５に記載の方法。
【請求項４７】
前記第２のサイドリンク制御情報（２０６）の伝送に関する前記設定が、前記第２のサイドリンク制御情報（２０６）の伝送に関するフォーマットを規定する、請求項３９から４６のいずれか一項に記載の方法。
【請求項４８】
前記第２のサイドリンク制御情報（２０６）の伝送に関する前記設定が、前記第２のサイドリンク制御情報（２０６）の伝送に関するアグリゲーションレベルを規定する、請求項３９から４７のいずれか一項に記載の方法。
【請求項４９】
前記第２のサイドリンク制御情報（２０６）の伝送に関する前記設定が、前記第２のサイドリンク制御情報（２０６）の伝送に関する変調および／または符号化方式を規定する、請求項３９から４８のいずれか一項に記載の方法。
【請求項５０】
前記無線通信ネットワークのノード（１００）が、前記第１の無線機器（２０）および／または前記第２の無線機器（３０）が前記ノード（１００）のサービスエリア（１０１）に入ったことに応答して、前記支援情報を送信することを含む、請求項３９から４９のいずれか一項に記載の方法。
【請求項５１】
前記無線通信ネットワークのノード（１００）が、前記第１の無線機器（２０）からのリクエスト（３０２、３０６）および／または前記第２の無線機器（３０）からのリクエストに応答して、前記支援情報を送信することを含む、請求項３９から５０のいずれか一項に記載の方法。
【請求項５２】
前記無線通信ネットワークのノード（１００）が、前記第１の無線機器（２０）を介して前記支援情報を前記第２の無線機器（３０）に送信することを含む、請求項３９から５１のいずれか一項に記載の方法。
【請求項５３】
前記無線通信ネットワークのノード（１００）が、前記第２の無線機器（３０）を介して前記支援情報を前記第１の無線機器（２０）に送信することを含む、請求項３９から５２のいずれか一項に記載の方法。
【請求項５４】
前記サイドリンク無線伝送（２０７、２０８）が、データチャネル上の伝送を含む、請求項３９から５３のいずれか一項に記載の方法。
【請求項５５】
前記サイドリンク無線伝送（２０７、２０８）が、１つまたは複数の参照信号の伝送を含む、請求項３９から５４のいずれか一項に記載の方法。
【請求項５６】
無線通信ネットワークの無線機器（３０）であって、
別の無線機器（２０）から第１のサイドリンク制御情報（２０４）を受信することと、
前記無線機器（３０）に格納された支援情報および前記受信した第１のサイドリンク制御情報（２０４）に基づいて、第２のサイドリンク制御情報（２０６）の伝送に関する設定を決定することと、
前記第２のサイドリンク制御情報（２０６）の伝送に関する前記決定した設定に基づいて、前記別の無線機器（２０）から前記第２のサイドリンク制御情報（２０６）を受信することと、
前記受信した第２のサイドリンク制御情報（２０６）に基づいて、前記別の無線機器（２０）からのサイドリンク無線伝送（２０７、２０８）を受信することと、
を行うように構成された、無線機器（３０）。
【請求項５７】
請求項１から１９のいずれか一項に記載の方法のステップを実行するように構成された、請求項５６に記載の無線機器（３０）。
【請求項５８】
少なくとも１つのプロセッサと、前記少なくとも１つのプロセッサにより実行可能な命令を含むメモリであって、前記少なくとも１つのプロセッサによる実行によって、前記無線機器（３０）が請求項１から１９のいずれか一項に記載の方法を実行するように動作可能な命令を含むメモリと、を備えた、請求項５６に記載の無線機器（３０）。
【請求項５９】
無線通信ネットワークの無線機器（２０）であって、
前記無線機器（２０）に格納された支援情報に基づいて、第１のサイドリンク制御情報（２０４）を決定することであり、前記支援情報が、前記第１のサイドリンク制御情報（２０４）を第２のサイドリンク制御情報（２０６）の伝送に関する設定に関連付ける、第１のサイドリンク制御情報（２０４）を決定することと、
前記第１のサイドリンク制御情報（２０４）を別の無線機器（３０）に送信することと、
前記設定に基づいて、前記第２のサイドリンク制御情報（２０６）を前記別の無線機器（３０）に送信することと、
前記第２のサイドリンク制御情報（２０６）に基づいて、サイドリンク無線伝送（２０７、２０８）を前記別の無線機器（３０）に送信することと、
を行うように構成された、無線機器（２０）。
【請求項６０】
請求項２０から３８のいずれか一項に記載の方法のステップを実行するように構成された、請求項５９に記載の無線機器（２０）。
【請求項６１】
少なくとも１つのプロセッサと、前記少なくとも１つのプロセッサにより実行可能な命令を含むメモリであって、前記少なくとも１つのプロセッサによる実行によって、前記無線機器（２０）が請求項２０から３８のいずれか一項に記載の方法を実行するように動作可能な命令を含むメモリと、を備えた、請求項５９に記載の無線機器（２０）。
【請求項６２】
無線通信ネットワークのノード（１００）であって、
前記無線機器（１００）は、
支援情報を第１の無線機器（２０）に提供することと、
前記支援情報を第２の無線機器（３０）に提供することであり、前記支援情報が、前記第１の無線機器（２０）から前記第２の無線機器（３０）に伝送された第１のサイドリンク制御情報（２０４）を前記第１の無線機器（２０）から前記第２の無線機器（３０）への第２のサイドリンク制御情報（２０６）の伝送に関する設定に関連付ける、前記支援情報を第２の無線機器（３０）に提供することと、
を行うように構成された、無線通信ネットワークのノード（１００）。
【請求項６３】
請求項３９から５５のいずれか一項に記載の方法のステップを実行するように構成された、請求項６２に記載のノード（１００）。
【請求項６４】
少なくとも１つのプロセッサと、前記少なくとも１つのプロセッサにより実行可能な命令を含むメモリであって、前記少なくとも１つのプロセッサによる実行によって、前記ノード（１００）が請求項３９から５５のいずれか一項に記載の方法を実行するように動作可能な命令を含むメモリと、を備えた、請求項６２に記載のノード（１００）。
【請求項６５】
支援情報を格納した第１の無線機器（２０）および第２の無線機器（３０）を備えたシステムであって、
前記第１の無線機器（２０）が、
前記第１の無線機器（２０）に格納された前記支援情報に基づいて、第１のサイドリンク制御情報（２０４）を決定することであり、前記支援情報が、前記第１のサイドリンク制御情報（２０４）を第２のサイドリンク制御情報（２０６）の伝送に関する設定に関連付ける、第１のサイドリンク制御情報（２０４）を決定することと、
前記第１のサイドリンク制御情報（２０４）を前記第２の無線機器（３０）に送信することと、
前記設定に基づいて、前記第２のサイドリンク制御情報（２０６）を前記第２の無線機器（３０）に送信することと、
前記第２のサイドリンク制御情報（２０６）に基づいて、サイドリンク無線伝送（２０７、２０８）を前記第２の無線機器（３０）に送信することと、
を行うように構成され、
前記第２の無線機器（３０）が、
前記第１の無線機器（２０）から前記第１のサイドリンク制御情報（２０４）を受信することと、
前記第２の無線機器（３０）に格納された前記支援情報および前記受信した第１のサイドリンク制御情報（２０４）に基づいて、前記第２のサイドリンク制御情報（２０６）の伝送に関する前記設定を決定することと、
前記第２のサイドリンク制御情報（２０６）の伝送に関する前記決定した設定に基づいて、前記第１の無線機器（２０）から前記第２のサイドリンク制御情報（２０６）を受信することと、
前記受信した第２のサイドリンク制御情報（２０６）に基づいて、前記第１の無線機器（２０）からのサイドリンク無線伝送（２０７、２０８）を受信することと、
を行うように構成された、システム。
【請求項６６】
無線通信ネットワークのノード（１００）であり、前記支援情報を前記第１の無線機器（２０）および／または前記第２の無線機器（３０）に提供するように構成された、ノード（１００）をさらに備えた、請求項６５に記載のシステム。
【請求項６７】
無線機器（３０、２０）の少なくとも１つのプロセッサにより実行されるプログラムコードを含むコンピュータプログラムであって、前記プログラムコードの実行により、前記無線機器（３０、２０）が、請求項１から３８のいずれか一項に記載の方法を実行する、コンピュータプログラム。
【請求項６８】
無線機器（３０、２０）の少なくとも１つのプロセッサにより実行されるプログラムコードを含むコンピュータプログラム製品であって、前記プログラムコードの実行により、前記無線機器（３０、２０）が、請求項１から３８のいずれか一項に記載の方法を実行する、コンピュータプログラム製品。
【請求項６９】
無線通信ネットワークのノード（１００）の少なくとも１つのプロセッサにより実行されるプログラムコードを含むコンピュータプログラムであって、前記プログラムコードの実行により、前記ノード（１００）が、請求項３９から５５のいずれか一項に記載の方法を実行する、コンピュータプログラム。
【請求項７０】
無線通信ネットワークのノード（１００）の少なくとも１つのプロセッサにより実行されるプログラムコードを含むコンピュータプログラム製品であって、前記プログラムコードの実行により、前記ノード（１００）が、請求項３９から５５のいずれか一項に記載の方法を実行する、コンピュータプログラム製品。
【発明の詳細な説明】
【技術分野】
【０００１】
本発明は、無線伝送を制御する方法ならびに対応する無線機器、システム、およびコンピュータプログラムに関する。
【背景技術】
【０００２】
無線通信ネットワークにおいては、無線通信ネットワークからＵＥ（ユーザ機器）への伝送方向を通常、「ダウンリンク」（ＤＬ）方向と称する一方、ＵＥから無線通信ネットワークへの伝送方向を通常、「アップリンク」（ＵＬ）方向と称する。ＤＬ無線伝送およびＵＬ無線伝送のほか、ＵＥ間の直接無線伝送をサポートすることが知られている。これらの直接無線伝送は、「サイドリンク」（ＳＬ）無線伝送と称する場合がある。たとえば、３ＧＰＰ（第３世代パートナーシッププロジェクト）により規定されるＬＴＥ（ロングタームエボリューション）無線技術の場合、ＳＬ無線伝送は、３ＧＰＰ  ＴＳ  ３６．２０１  Ｖ１４．１．０（２０１７−０３）において規定されている。ＳＬ無線伝送は、たとえばＶ２Ｘ（ｖｅｈｉｃｌｅ−ｔｏ−ａｎｙｔｈｉｎｇ）通信に使用可能であり得、たとえば、車両間のＶ２Ｖ（ｖｅｈｉｃｌｅ−ｔｏ−ｖｅｈｉｃｌｅ）通信、車両と個人が持つデバイス（たとえば、歩行者、サイクリスト、運転者、または乗員が持つ手持ち式端末）との間のＶ２Ｐ（ｖｅｈｉｃｌｅ−ｔｏ−ｐｅｄｅｓｔｒｉａｎ）通信、車両と交通インフラの路側ユニット（ＲＳＵ）（たとえば、速度制限通知を伝送するエンティティ）との間のＶ２Ｉ（ｖｅｈｉｃｌｅ−ｔｏ−ｉｎｆｒａｓｔｒｕｃｔｕｒｅ）通信、および車両と無線通信ネットワークのノードとの間のＶ２Ｎ（ｖｅｈｉｃｌｅ−ｔｏ−ｎｅｔｗｏｒｋ）通信が挙げられてもよい。原則として、Ｖ２Ｘ通信は、ネットワークインフラが利用可能な場合に、そのネットワークインフラを利用するようにしてもよい。ただし、ネットワークインフラがなくても（たとえば、ネットワークカバレッジの外側でも）、少なくとも基本的なＶ２Ｘ通信機能も可能であるものとする。
【０００３】
ＬＴＥ無線技術においては、物理ＳＬ制御チャネル（ＰＳＣＣＨ）および物理ＳＬ共有チャネル（ＰＳＳＣＨ）を用いて、ＳＬ無線伝送が実行される。ＰＳＣＣＨは、たとえばＰＳＳＣＨ上のデータ伝送のスケジューリング情報を示し得るＳＬ制御情報（ＳＣＩ）を搬送する。ＳＣＩは、ＰＳＳＣＨのデータ伝送に割り当てられる無線リソース、ＰＳＳＣＨのデータ伝送に用いられる変調・符号化方式（ＭＣＳ）、再送信インデックス、将来のデータ伝送に対して同じ無線リソースを予約する意図、およびＰＰＰＰ（ＰｒｏＳｅパケット単位優先度）の観点での優先レベルを示し得る。ＰＳＣＣＨは、２つのリソースブロック（ＲＢ）から成る固定サイズを有し、ＰＳＳＣＨ上のデータ伝送と同じサブフレームにおいて伝送される。
【０００４】
ＬＴＥ無線技術においては通常、ＳＬ無線伝送の受信機に対して、ＳＬ無線伝送が事前に知らされることはない。すなわち、受信機は、ＳＬ無線伝送が起こりそうか否かを確実に把握し得ない。さらに、受信機は通常、ＳＬ無線伝送の送信機が使用するパラメータを把握していない。受信機の設計を簡素化するため、ＬＴＥ無線技術では、ある所定の無線リソース上で所定の伝送パラメータを用いてのみ、ＰＳＣＣＨ上のＳＣＩの伝送が実行可能であり、ＰＳＣＣＨ上のＳＣＩの伝送で常に、同じフォーマットが使用されるようにする必要がある。ＰＳＣＣＨ上のＳＣＩの伝送が起こり得る所定のＲＢは通常、検索空間（ＳＳ）として参照される。これらの前提を用いることにより、ＳＬ受信機の複雑性を制限可能である。通常は、検索空間におけるＰＳＣＣＨ伝送のデコード化を試行しさえすればよいためで、これをＰＳＣＣＨまたはＳＣＩのブラインドデコード化とも称する。
【０００５】
ただし、ＬＴＥ無線技術または５Ｇ（第５世代）無線技術におけるＳＬ無線通信の新たなサービスまたは利用の導入によって、レイテンシ、信頼性、データレートに関する多様な要件が発生する可能性があり、ＳＳ、ＳＣＩフォーマット、および伝送パラメータに関する上記制限では満たし得ないため、ＳＬ受信機の複雑性および電力消費がより増大する可能性もある。
【０００６】
以上から、ＳＬ無線通信を効率良く制御可能な技術が求められている。
【発明の概要】
【０００７】
一実施形態によれば、無線通信ネットワークにおいてＳＬ無線伝送を制御する方法が提供される。この方法によれば、無線機器は、別の無線機器から第１のＳＣＩを受信する。無線機器に格納された支援情報および受信した第１のＳＣＩに基づいて、無線機器は、第２のＳＣＩの伝送に関する設定を決定する。第２のＳＣＩの伝送に関する決定した設定に基づいて、無線機器は、別の無線機器から第２のＳＣＩを受信する。受信した第２のＳＣＩに基づいて、無線機器は、別の無線機器からのＳＬ無線伝送を受信する。
【０００８】
別の実施形態によれば、無線通信ネットワークにおいてＳＬ無線伝送を制御する方法が提供される。この方法によれば、無線機器は、当該無線機器に格納された支援情報に基づいて、第１のＳＣＩを決定する。支援情報は、第１のＳＣＩを第２のＳＣＩの伝送に関する設定に関連付ける。無線機器は、第１のＳＣＩを別の無線機器に送信する。設定に基づいて、無線機器はさらに、第２のＳＣＩを別の無線機器に送信する。第２のＳＣＩに基づいて、無線機器は、ＳＬ無線伝送を別の無線機器に送信する。
【０００９】
別の実施形態によれば、無線通信ネットワークにおいてＳＬ無線伝送を制御する方法が提供される。この方法によれば、支援情報は、第１の無線機器に提供される。さらに、支援情報は、第２の無線機器に提供される。支援情報の第１および第２の無線機器への提供は、無線通信ネットワークのノードにより実現されるようになっていてもよい。支援情報は、第１の無線機器から第２の無線機器に伝送された第１のＳＣＩを第１の無線機器から第２の無線機器への第２のＳＣＩの伝送に関する設定に関連付ける。
【００１０】
別の実施形態によれば、無線通信ネットワークの無線機器が提供される。この無線機器は、別の無線機器から第１のＳＣＩを受信するように構成されている。さらに、この無線機器は、当該無線機器に格納された支援情報および受信した第１のＳＣＩに基づいて、第２のＳＣＩの伝送に関する設定を決定するように構成されている。さらに、この無線機器は、第２のＳＣＩの伝送に関する決定した設定に基づいて、別の無線機器から第２のＳＣＩを受信するように構成されている。さらに、この無線機器は、受信した第２のＳＣＩに基づいて、別の無線機器からＳＬ無線伝送を受信するように構成されている。
【００１１】
別の実施形態によれば、無線通信ネットワークの無線機器が提供される。この無線機器は、少なくとも１つのプロセッサと、前記少なくとも１つのプロセッサにより実行可能な命令を含むメモリであって、前記少なくとも１つのプロセッサによる実行によって、当該無線機器が、別の無線機器から第１のＳＣＩを受信し、無線機器に格納された支援情報および受信した第１のＳＣＩに基づいて、第２のＳＣＩの伝送に関する設定を決定し、第２のＳＣＩの伝送に関する決定した設定に基づいて、別の無線機器から第２のＳＣＩを受信し、受信した第２のＳＣＩに基づいて、別の無線機器からのＳＬ無線伝送を受信するように動作可能な命令を含むメモリと、を備える。
【００１２】
別の実施形態によれば、無線通信ネットワークの無線機器が提供される。この無線機器は、当該無線機器に格納された支援情報に基づいて、第１のＳＣＩを決定するように構成されている。支援情報は、第１のＳＣＩを第２のＳＣＩの伝送に関する設定に関連付ける。さらに、この無線機器は、第１のＳＣＩを別の無線機器に送信するように構成されている。さらに、この無線機器は、設定に基づいて、第２のＳＣＩを別の無線機器に送信するように構成されている。さらに、この無線機器は、第２のＳＣＩに基づいて、ＳＬ無線伝送を別の無線機器に送信するように構成されている。
【００１３】
別の実施形態によれば、無線通信ネットワークの無線機器が提供される。この無線機器は、少なくとも１つのプロセッサと、前記少なくとも１つのプロセッサにより実行可能な命令を含むメモリであって、前記少なくとも１つのプロセッサによる実行によって、当該無線機器が、当該無線機器に格納された支援情報に基づいて、第１のＳＣＩを決定するように動作可能な命令を含むメモリと、を備える。支援情報は、第１のＳＣＩを第２のＳＣＩの伝送に関する設定に関連付ける。命令によって、この無線機器は、第１のＳＣＩを別の無線機器に送信し、設定に基づいて、第２のＳＣＩを別の無線機器に送信し、第２のＳＣＩに基づいて、ＳＬ無線伝送を別の無線機器に送信するようにさらに動作可能である。
【００１４】
別の実施形態によれば、無線通信ネットワークのノードが提供される。このノードは、支援情報を第１の無線機器に提供するように構成されている。さらに、このノードは、支援情報を第２の無線機器に提供するように構成されている。支援情報は、第１の無線機器から第２の無線機器に伝送された第１のＳＣＩを第１の無線機器から第２の無線機器への第２のＳＣＩの伝送に関する設定に関連付ける。
【００１５】
別の実施形態によれば、無線通信ネットワークのノードが提供される。このノードは、少なくとも１つのプロセッサと、前記少なくとも１つのプロセッサにより実行可能な命令を含むメモリであって、前記少なくとも１つのプロセッサによる実行によって、当該ノードが、支援情報を第１の無線機器および第２の無線機器に提供するように動作可能な命令を含むメモリと、を備える。支援情報は、第１の無線機器から第２の無線機器に伝送された第１のＳＣＩを第１の無線機器から第２の無線機器への第２のＳＣＩの伝送に関する設定に関連付ける。
【００１６】
別の実施形態によれば、システムが提供される。このシステムは、第１の無線機器および第２の無線機器を備える。第１の無線機器および第２の無線機器は、支援情報を格納する。第１の無線機器は、当該第１の無線機器に格納された支援情報に基づいて、支援情報を第２のＳＣＩの伝送に関する設定に関連付ける第１のＳＣＩを決定することと、第１のＳＣＩを第２の無線機器に送信することと、設定に基づいて、第２のＳＣＩを第２の無線機器に送信することと、第２のＳＣＩに基づいて、ＳＬ無線伝送を第２の無線機器に送信することとを行うように構成されている。第２の無線機器は、第１の無線機器から第１のＳＣＩを受信することと、当該第２の無線機器に格納された支援情報および受信した第１のＳＣＩに基づいて、第２のＳＣＩの伝送に関する設定を決定することと、第２のＳＣＩの伝送に関する決定した設定に基づいて、第１の無線機器から第２のＳＣＩを受信することと、受信した第２のＳＣＩに基づいて、第１の無線機器からのＳＬ無線伝送を受信することとを行うように構成されている。このシステムは、支援情報を第１の無線機器および／または第２の無線機器に提供するように構成された無線通信ネットワークのノードをさらに備えていてもよい。
【００１７】
本発明の別の実施形態によれば、たとえば無線通信ネットワークの無線機器の少なくとも１つのプロセッサにより実行されるプログラムコードを含む持続性記憶媒体の形態のコンピュータプログラムまたはコンピュータプログラム製品が提供される。プログラムコードの実行により、無線機器は、別の無線機器から第１のＳＣＩを受信する。さらに、プログラムコードの実行により、無線機器は、当該無線機器に格納された支援情報および受信した第１のＳＣＩに基づいて、第２のＳＣＩの伝送に関する設定を決定する。さらに、プログラムコードの実行により、無線機器は、第２のＳＣＩの伝送に関する決定した設定に基づいて、別の無線機器から第２のＳＣＩを受信する。さらに、プログラムコードの実行により、無線機器は、受信した第２のＳＣＩに基づいて、別の無線機器からＳＬ無線伝送を受信する。
【００１８】
本発明の別の実施形態によれば、たとえば無線通信ネットワークの無線機器の少なくとも１つのプロセッサにより実行されるプログラムコードを含む持続性記憶媒体の形態のコンピュータプログラムまたはコンピュータプログラム製品が提供される。プログラムコードの実行により、無線機器は、当該無線機器に格納された支援情報に基づいて、第１のＳＣＩを決定する。第１のＳＣＩは、支援情報を第２のＳＣＩの伝送に関する設定に関連付ける。さらに、プログラムコードの実行により、無線機器は、第１のＳＣＩを別の無線機器に送信する。さらに、プログラムコードの実行により、無線機器は、設定に基づいて、第２のＳＣＩを別の無線機器に送信する。さらに、プログラムコードの実行により、無線機器は、第２のＳＣＩに基づいて、ＳＬ無線伝送を別の無線機器に送信する。
【００１９】
本発明の別の実施形態によれば、たとえば無線通信ネットワークのノードの少なくとも１つのプロセッサにより実行されるプログラムコードを含む持続性記憶媒体の形態のコンピュータプログラムまたはコンピュータプログラム製品が提供される。プログラムコードの実行により、ノードは、支援情報を第１の無線機器に提供する。さらに、プログラムコードの実行により、ノードは、支援情報を第２の無線機器に提供する。支援情報は、第１の無線機器から第２の無線機器に伝送された第１のＳＣＩを第１の無線機器から第２の無線機器への第２のＳＣＩの伝送に関する設定に関連付ける。
【００２０】
上記および他の実施形態の詳細については、実施形態に関する以下の詳細な説明から明らかとなるであろう。
【図面の簡単な説明】
【００２１】
【図１】本発明の一実施形態に係る、無線通信ネットワークにおける無線伝送を説明する例示的なシナリオを示した図である。
【図２】本発明の一実施形態に係る、無線機器間のＳＬ無線伝送が制御されるプロセスの一例を示した図である。
【図３Ａ】支援情報を無線機器に提供するプロセスの一例を示した図である。
【図３Ｂ】支援情報を無線機器に提供するプロセスの別の例を示した図である。
【図３Ｃ】支援情報を無線機器に提供するプロセスの別の例を示した図である。
【図４】支援情報を無線機器に提供するプロセスの別の例を示した図である。
【図５】ＳＬ無線伝送を制御する本発明の一実施形態に従って使用される支援情報の一例を示した図である。
【図６】本発明の一実施形態に係る、ＳＬ無線伝送の受信を制御する方法を模式的に説明するフローチャートである。
【図７】本発明の一実施形態に係る、受信無線機器の機能を説明するブロック図である。
【図８】本発明の一実施形態に係る、ＳＬ無線伝送の送信を制御する方法を模式的に説明するフローチャートである。
【図９】本発明の一実施形態に係る、送信無線機器の機能を説明するブロック図である。
【図１０】本発明の一実施形態に係る、ＳＬ無線伝送を制御する方法を模式的に説明するフローチャートである。
【図１１】本発明の一実施形態に係る、ネットワークノードの機能を説明するブロック図である。
【図１２】本発明の一実施形態に係る、無線機器の構造を模式的に示した図である。
【図１３】本発明の一実施形態に係る、ネットワークノードの構造を模式的に示した図である。
【発明を実施するための形態】
【００２２】
以下、添付の図面を参照して、本発明の例示的な実施形態に係る概念をより詳しく説明する。図示の実施形態は、無線通信ネットワークにおけるＳＬ無線伝送の制御に関する。図示の例においては、無線通信ネットワークがＬＴＥ無線技術に基づくものと仮定する。ただし、ＳＬ無線伝送をサポートする他の無線技術（たとえば、３ＧＰＰにより現在開発されているＮＲ（新無線）技術のような５Ｇ無線技術）を同様に使用することも可能である。本明細書において、用語「伝送（ｔｒａｎｓｍｉｓｓｉｏｎ）」は、送信および受信の両面を含むように使用する。
【００２３】
図示の例において、２つの無線機器（以下、ＵＥと称する）間のＳＬ無線伝送のＳＣＩは、第１のＳＣＩ（以下、第１段階のＳＣＩとも称する）および第２のＳＣＩ（以下、第２段階のＳＣＩとも称する）という多段に構成されている。第１のＳＣＩおよび第２のＳＣＩは、各ＳＬ無線伝送について、動的に送信されるようになっていてもよい。第１のＳＣＩは、無線機器により格納された支援情報に関連して用いられる。支援情報は、第１のＳＣＩを第２のＳＣＩの伝送に関する設定に関連付ける。支援情報は、たとえば規格に基づいて、ＵＥで予備設定されていてもよいし、たとえばシステム情報の一部として、および／または、ＲＲＣ（無線リソース制御）のような上位レイヤシグナリングを用いて、ネットワークからＵＥにシグナリングされるようになっていてもよいし、たとえば第２のＵＥが第１のＵＥの無線カバレッジエリアに入った場合に、第１のＵＥから第２のＵＥに移されるようになっていてもよい。
【００２４】
したがって、ＳＬ無線伝送を第２のＵＥに送信する意図がある第１のＵＥは最初に、第２のＳＣＩの伝送のための好適な設定を選択するようにしてもよい。この選択は、使用事例によって決まり得る。たとえば、この選択は、ＳＬ無線伝送がユニキャスト伝送であるかブロードキャスト伝送であるかによって決まり得る。さらに、この選択は、ＳＬ無線伝送の伝送モードによって決まり得る。たとえば、この選択は、ＳＬ無線伝送がＳＩＳＯ（シングル入力／シングル出力）モードを使用するか、ＭＩＭＯ（マルチ入力／マルチ出力）モードを使用するかによって決まり得る。さらに、この選択は、ＳＬ無線伝送のＱｏＳ（サービス品質）要件（たとえば、レイテンシ、データレート、信頼性、または伝送距離）によって決まり得る。支援情報を使用することにより、第１のＵＥは、選択した設定と関連する第１のＳＣＩを決定し、当該第１のＳＣＩを第２のＵＥに送信するようにしてもよい。第１のＵＥから受信した第１のＳＣＩおよび格納された支援情報に基づいて、第２のＵＥは、第２のＳＣＩの伝送に関する設定を決定することができる。したがって、第１のＵＥは、その後選択した設定を使用して第２のＳＣＩを第２のＵＥに送信可能であり、第２のＵＥは、選択した設定を使用して第１のＵＥから第２のＳＣＩを受信可能である。その後、第２のＳＣＩに基づいて、第１のＵＥは、ＳＬ無線伝送を第２のＵＥに送信するようにしてもよく、第２のＵＥは、ＳＬ無線伝送を受信するようにしてもよい。したがって、支援情報および第１のＳＣＩによれば、第２のＳＣＩの変動性が高くなるため、第２のＵＥにおいて第２のＳＣＩに必要なブラインドデコード化の試行を制限しつつ、さまざまな使用事例および要件のサポートを可能にする。
【００２５】
図１は、ＳＬ無線伝送を伴う例示的なシナリオを示している。より具体的に、図１は、ＬＴＥ無線技術においてｅＮＢと称する無線通信ネットワークのアクセスノード１００と、実線矢印で示すＤＬ無線伝送および／もしくはＵＬ無線伝送ならびに破線矢印で示すＳＬ無線伝送を用いて通信を行い得るさまざまなエンティティ１１、１２、１３、１４、１５とを示している。アクセスノードのサービスエリアすなわちセルを１０１で模式的に示している。サービスエリア１０１は、アクセスノード１００からのＤＬ無線伝送およびアクセスノード１００へのＵＬ無線伝送が可能な無線カバレッジエリアにより規定されていてもよい。なお、ここでは、無線通信ネットワークが他のアクセスノードを含んでいてもよく、それぞれが対応するサービスエリアを有し、これがアクセスノード１００のカバレッジエリア１０１と重なり合っていてもよいし、重なり合っていなくてもよい。
【００２６】
図１に示すエンティティには、車両１１、１２、１３、移動式電話１４、および人１５（たとえば、歩行者、サイクリスト、車両の運転者、または車両の乗員）を含む。なお、ここで、車両１１、１２、１３の場合は、車両に設置された通信モジュールにより無線伝送が実行されるようになっていてもよく、人１５の場合は、人１５が携行または着用する無線機器（たとえば、リストバンド機器または類似のウェアラブル機器）により無線伝送が実行されるようになっていてもよい。これらの機器およびモジュールは、ＵＥとも称する場合がある。ＳＬ無線伝送は、ＤＬ無線伝送および／またはＵＬ無線伝送（たとえば、アクセスノード１００からのＤＬ無線伝送を用いたＳＬ無線伝送の制御あるいは管理）によって可能となり得る。以下に詳しく説明する通り、これには、エンティティの無線機器および／またはモジュールに対する前述の支援情報の提供を伴っていてもよい。さらに、図１に示すエンティティは、例示に過ぎない。ＳＬ無線伝送は、Ｖ２Ｖ通信、Ｖ２Ｐ通信、および／またはＶ２Ｉ通信を含むさまざまな種類のＶ２Ｘ通信を実装するために使用可能である。したがって、ＳＬ無線伝送は、さまざまな種類のＶ２Ｘメッセージ（たとえば、協調認識メッセージ（ＣＡＭ）または分散型環境通知メッセージ（ＤＥＮＭ））を搬送し得る。ただし、他の種類のＳＬ無線通信も同様にサポート可能である。
【００２７】
ＬＴＥ無線技術の想定される利用に従えば、ＳＬ無線伝送は、３ＧＰＰ  ＴＳ  ２３．３０３  Ｖ１４．１．０（２０１６−１２）に規定のＰＣ５インターフェースに基づいていてもよい。ＤＬ無線伝送およびＵＬ無線伝送は、３ＧＰＰ  ＴＳ  ２３．４０１  Ｖ１４．６．０（２０１７−１２）に規定のＬＴＥ  Ｕｕインターフェースに基づいていてもよい。ＳＬ無線伝送には、ＰＳＳＣＨ上のデータ伝送を伴っていてもよく、第１のＳＣＩおよび第２のＳＣＩがＰＳＣＣＨ上で伝送されるようになっていてもよい。ＰＳＳＣＨ上の各データ伝送は、ＰＳＣＣＨ上で伝送される第１のＳＣＩおよび第２のＳＣＩによりスケジューリングされるようになっていてもよい。利用ＲＢ数、再送信数、および／またはＭＣＳ等、ＳＬ無線伝送の伝送パラメータは、たとえばＰＰＰＰ、利用キャリアの輻輳レベル、および伝送無線機器の移動速度の観点で規定された優先レベルに基づいて適応可能である。たとえば３ＧＰＰ  ＴＳ  ２３．３０３  Ｖ１４．１．０に規定の通り、ＰＰＰＰは、ＰＣ５インターフェースを介して伝送されるメッセージごとにアプリケーションレイヤ上で設定される。
【００２８】
ＳＬ無線伝送のための無線リソースの割り当ては、ＳＬ無線伝送の送信および／または受信を行う無線機器に対してアクセスノード１００が伝送するＤＬ制御情報（ＤＣＩ）を用いて、集中して実行されるようになっていてもよい。特に、特定のＳＬ無線伝送の場合、アクセスノード１００は、第１のＳＣＩおよび第２のＳＣＩの伝送に用いられるＰＳＣＣＨの割り当て無線リソースならびに実際のデータ伝送の送信に用いられるＰＳＳＣＨの割り当て無線リソースを示すＤＣＩを送信するようにしてもよい。
【００２９】
さらに、ＳＬ無線伝送のための無線リソースの割り当ては、分散または自律して実行されるようになっていてもよい。この場合、送信無線機器は、特定のアルゴリズムを用いることにより、ＰＳＣＣＨおよびＰＳＳＣＨの両者について、ＳＬ無線伝送に使用する無線リソースを自律的に決定する。また、無線リソースの割り当ては、たとえば複数の無線機器が同じ無線リソースを使おうとして発生する衝突等の対立を回避するため、送信無線機器が実行するチャネル検知に基づいていてもよい。自律割り当て無線リソースは、１つまたは複数のリソースプールから選択されるようになっていてもよい。リソースプールは、たとえば規格に基づいて予備設定されていてもよいし、たとえばシステム情報または上位レイヤシグナリング（たとえば、ＲＲＣシグナリング）を用いてネットワークによりシグナリングされるようになっていてもよい。無線リソースの検知ベースの自律割り当ては、たとえば３ＧＰＰ  ＴＳ  ３６．２１３  Ｖ１４．５．０（２０１７−１２）に規定のＳＬ無線伝送の「モード４」に従って実行されるようになっていてもよい。モード４において、自律リソース割り当ては、セミパーシステントなリソース割り当ておよび検知ベースのリソース割り当てという２つの特徴を併用する。セミパーシステントなリソース割り当てには、長期間にわたる無線リソースの割り当てを含むため、無線リソースをおおよそ規則的に再利用可能である。検知ベースの割り当てでは、他の機器による無線チャネルのモニタリングによって、このような規則的な伝送の有無を検出する。このように、ＵＥは、複数の無線機器が共有するリソースプールから無線リソースを自律的に選択する場合に、衝突を回避可能である。
【００３０】
図２は、上記概説の原理に基づいてＳＬ無線伝送が制御されるプロセスの一例を示している。図２のプロセスには、アクセスノード（ＡＮ）１００、送信ＵＥ（ＳＬ  ＴＸ）２０、および受信ＵＥ（ＳＬ  ＲＸ）３０が関与する。なお、ここで、送信ＵＥ２０および受信ＵＥ３０は、図１に示すエンティティ１１、１２、１３、１４、１５の任意のペアに対応することも可能である。
【００３１】
図２の例においては、メッセージ２０１および２０２で示すように、アクセスノード１００が最初に、支援情報の少なくとも一部をＵＥ２０、３０に提供するものと仮定する。支援情報は、ＵＥ２０、３０により格納される。メッセージ２０１、２０２としては、たとえばシグナリングされるシステム情報および／またはＲＲＣメッセージの一部も可能である。支援情報の別の部分は、たとえば規格に基づいて、ＵＥ２０、３０で予備設定することも可能である。代替シナリオにおいて、支援情報は、ＵＥ２０、３０で完全に予備設定することも可能である。なお、図示の概念においては、たとえばＵＥ２０、３０のＵＥタイプおよび／またはサポート機能が異なるため、ＵＥ２０により格納された支援情報がＵＥ３０により格納された支援情報とは異なり得るとも考えられる。ただし、通常は、支援情報の少なくとも一部が２つのＵＥ２０、３０に共通であって、以下に詳しく説明する通り、この共通部分がＳＬ無線伝送の制御に使われることになる。以下に詳しく説明する通り、支援情報は、たとえば設定テーブルの観点で提供されるようになっていてもよい。
【００３２】
そして、ブロック２０３により示すように、送信ＵＥ２０は、第１段階のＳＣＩおよび第２段階のＳＣＩの伝送のための設定を選択する。第１段階のＳＣＩの伝送のための設定は、予備設定され、無線通信システムにおけるすべてのＵＥと同じであってもよい。第１段階のＳＣＩの伝送のための設定は、たとえば時間および周波数領域における位置、第１段階のＳＣＩの伝送のためのＭＣＳ、第１段階のＳＣＩの伝送のためのアグリゲーションレベル、ならびに／または第１段階のＳＣＩのＳＣＩフォーマットの観点で、第１段階のＳＣＩの伝送のための検索空間を規定していてもよい。アグリゲーションレベルは、ＳＣＩの伝送に要する制御チャネルエレメント（ＣＣＥ）の数または制御チャネル無線リソースの量を表すものと考えられる。
【００３３】
第２段階のＳＣＩの決定は、より大きな変動性を伴い、意図するＳＬ無線伝送または意図するＳＬ無線伝送の種類の基礎となる使用事例（たとえば、アプリケーションレイヤにより設定されたＰＰＰＰ、意図するＳＬ無線伝送がユニキャスト伝送であるかブロードキャスト伝送であるか、および／またはＳＬ無線伝送がＳＩＳＯモードでの実行を意図するかＭＩＭＯモードでの実行を意図するか）に基づいていてもよい。第２段階のＳＣＩの伝送のための設定は、たとえば時間および周波数領域における位置、第２段階のＳＣＩの伝送のための１つもしくは複数のＭＣＳ、第２段階のＳＣＩの伝送のための１つもしくは複数のアグリゲーションレベル、ならびに／または第２段階のＳＣＩのＳＣＩフォーマットの観点で、第２段階のＳＣＩの伝送のための１つまたは複数の検索空間を規定していてもよい。第２段階のＳＣＩの伝送のための設定は、複数の考え得る候補設定から選択可能であり、通常、第１段階のＳＣＩの伝送のための設定とは異なる。たとえば、第２段階のＳＣＩの伝送のための設定は、第１段階のＳＣＩの伝送のための設定よりも大きな検索空間、異なるアグリゲーションレベル、および／またはより複雑なＳＣＩフォーマットを規定していてもよい。さらに、第２段階のＳＣＩの伝送のための設定は、各ＵＥおよび／または各ＳＬ無線伝送について、個別に設定されるようになっていてもよい。
【００３４】
送信ＵＥ２０は、格納された支援情報を使用して、選択設定と関連する第１段階のＳＣＩを決定する。第１段階のＳＣＩは、たとえば選択設定を指し示すインデックスを含むことも可能である。さらに、第１段階のＳＣＩは、選択設定と関連付けられた１つまたは複数の伝送パラメータ（たとえば、ＰＰＰＰ、意図するＳＬ無線伝送がユニキャスト伝送であるかブロードキャスト伝送であるかのインジケータ、および／またはＳＬ無線伝送がＳＩＳＯモードでの実行を意図するかＭＩＭＯモードでの実行を意図するかのインジケータ）を含むことも可能である。第１段階のＳＣＩは、選択設定の識別を可能にする情報に限定されていてもよく、これにより、複雑性を抑えて第１段階のＳＣＩを伝送可能となる。そして、メッセージ２０４により示すように、送信ＵＥ２０は、第１段階のＳＣＩを受信ＵＥ３０に送信する。また、メッセージ２０６により示すように、送信ＵＥ２０は、第２段階のＳＣＩを受信ＵＥ３０にも送信するが、これは、ブロック２０３で選択された設定に基づいて実現される。
【００３５】
第１段階のＳＣＩを受信したら、受信ＵＥ３０は、支援情報を使用して、第１段階のＳＣＩと関連する設定を識別する。識別した設定に基づいて、受信ＵＥ３０は、第２のＳＣＩを受信する。第２段階のＳＣＩの伝送に用いられる設定を識別可能とすることにより、たとえば考え得る検索空間、考え得るＭＣＳ、考え得るＳＣＩフォーマット、および／または考え得るアグリゲーションレベルの範囲を制限することによって、第２段階のＳＣＩを受信する複雑性を大幅に抑えることができる。いくつかのシナリオにおいて、支援情報と組み合わせた第１段階のＳＣＩは、第２段階のＳＣＩの伝送のための検索空間および一組の候補ＳＣＩフォーマットを識別するようにしてもよい。そして、受信ＵＥ３０は、異なる候補ＳＣＩフォーマットを用いることにより、識別された検索空間でブラインドデコード化を実行するようにしてもよい。また、いくつかのシナリオにおいて、支援情報と組み合わせた第１段階のＳＣＩは、如何なるブラインドデコード化も要することなく、受信ＵＥ３０が第２段階のＳＣＩをデコード化可能となる程度まで、第２段階のＳＣＩの伝送のための設定を規定していてもよい。たとえば、この設定では、第２段階のＳＣＩの伝送に用いられる厳密な無線リソース、ＭＣＳ、ＳＣＩフォーマット、およびアグリゲーションレベルを示すことも可能である。
【００３６】
図２にさらに示すように、送信ＵＥ２０はさらに、ＳＬ無線伝送を受信ＵＥ３０に送信する。これは、ＰＵＳＳＣＨ上のＳＬデータ２０７の送信を伴っていてもよい。さらに、これは、１つまたは複数の参照シンボル（ＲＳ）２０８の送信を伴っていてもよい。ＳＬ無線伝送は、第２段階のＳＣＩにおいて示された情報に基づいて実行される。たとえば、第２段階のＳＣＩは、（たとえば、ＰＰＰＰに関して）ＳＬ無線伝送に割り当てられた無線リソース、ＳＬ無線伝送のＭＣＳ、および／またはＳＬ無線伝送の優先レベルを示すことも可能である。さらに、第２段階のＳＣＩは、ＳＬ無線伝送の再送信パラメータ（たとえば、ＳＬ無線伝送がデータの初期送信を含むか再送信を含むか、再送信の試行回数、および／または再送信データの冗長バージョン）を示し得る。さらに、第２段階のＳＣＩは、送信ＵＥ２０から受信ＵＥ３０への後続のＳＬ無線伝送に対する無線リソースの予約が存在するかを示すことも可能である。
【００３７】
前述の通り、送信ＵＥ２０は、１つまたは複数の参照シンボル２０８を送信するようにしてもよい。参照シンボル２０８の送信は、第２段階のＳＣＩにより制御されるようになっていてもよく、これにより、参照シンボルの異なる設定を使用可能であると同時に、受信ＵＥ３０による参照シンボルの効率的なモニタリングが可能となる。参照シンボル２０８は、たとえばＳＬ無線伝送の検知ベースのスケジューリングの実行の基礎として用いられるようになっていてもよい。
【００３８】
なお、図２は、第１段階のＳＣＩの伝送が第２段階のＳＣＩの伝送の前に発生し、第２段階のＳＣＩの伝送がＳＬ無線伝送の前に発生するように示しているが、これは必ずしも当てはまらない。たとえば、第１段階のＳＣＩ、第２段階のＳＣＩ、およびＳＬ無線伝送は、たとえば同じサブフレームの異なるＲＢ上で、実質的に同時に伝送することも可能である。受信ＵＥ３０は、サブフレームの考え得るすべてのＲＢをモニタリングし、第１段階のＳＣＩを用いて、第２段階のＳＣＩのブラインドデコード化の複雑性を抑えるようにしてもよい。そして、デコード化された第２段階のＳＣＩは、ＳＬデータ２０７のデコード化および／または参照シンボル２０８のモニタリングに用いられるようになっていてもよい。すなわち、広範な候補設定から選択された設定を用いて第２段階のＳＣＩを伝送可能であるが、支援情報と組み合わせた第１段階のＳＣＩによれば、受信ＵＥ３０が実行するブラインドデコード化の範囲を単一の設定または候補設定から成る少なくとも１つの限定部分集合へと制限可能である。
【００３９】
図３Ａは、送信ＵＥ２０および受信ＵＥ３０への支援情報の提供に使用可能なプロセスの一例を示している。図３Ａのプロセスにおいては、ブロック３０１により示すように、送信ＵＥ２０がアクセスノード１００のサービスエリア１０１に入るものと仮定する。受信ＵＥ３０は、アクセスノード１００のサービスエリア１０１の外側であってもよいし、アクセスノード１００のカバレッジエリア１０１に入ったあとであってもよい。
【００４０】
さらに図示するように、送信ＵＥ２０は、アクセスノード１００のサービスエリア１０１に入ったことに応答して、リクエスト３０２をアクセスノード１００に送信する。リクエスト３０２は、たとえば送信ＵＥ２０とアクセスノード１００との間の接続のセットアップに用いられる手順のメッセージにて送信することも可能である。リクエスト３０２に応答して、アクセスノード１００は、支援情報３０３を送信ＵＥ２０に送信する。送信ＵＥ２０は、受信した支援情報３０３を格納する。過去に格納された支援情報が送信ＵＥ２０において利用可能な場合、送信ＵＥ２０は、受信した支援情報３０３を用いて、過去に格納された支援情報を交換または更新するようにしてもよい。
【００４１】
また、さらに図示するように、送信ＵＥ２０は、支援情報３０４を受信ＵＥ３０に送信するようにしてもよい。支援情報３０４は、送信ＵＥ２０により受信され、受信ＵＥ３０に転送された支援情報３０３の少なくとも一部に対応していてもよい。さらに、送信ＵＥ２０は、送信ＵＥ２０により過去に格納された支援情報の少なくとも一部を受信ＵＥ３０に転送することも可能である。支援情報３０４の送信としては、たとえばＳＬディスカバリ手順（たとえば、３ＧＰＰ  ＴＳ  ２３．３０３  Ｖ１４．１．０に規定のＰｒｏＳｅディスカバリ手順）の一部も可能である。受信ＵＥ３０は、受信した支援情報３０４を格納する。過去に格納された支援情報が受信ＵＥ３０において利用可能な場合、受信ＵＥ３０は、受信した支援情報３０３を用いて、過去に格納された支援情報を交換または更新するようにしてもよい。
【００４２】
図３Ｂは、送信ＵＥ２０および受信ＵＥ３０への支援情報の提供に使用可能なプロセスの別の例を示している。図３Ｂのプロセスにおいては、ブロック３０５により示すように、受信ＵＥ３０がアクセスノード１００のサービスエリア１０１に入るものと仮定する。送信ＵＥ２０は、アクセスノード１００のサービスエリア１０１の外側であってもよいし、アクセスノード１００のカバレッジエリア１０１に入ったあとであってもよい。
【００４３】
さらに図示するように、受信ＵＥ３０は、アクセスノード１００のサービスエリア１０１に入ったことに応答して、リクエスト３０６をアクセスノード１００に送信する。リクエスト３０６は、たとえば受信ＵＥ３０とアクセスノード１００との間の接続のセットアップに用いられる手順のメッセージにて送信することも可能である。リクエスト３０６に応答して、アクセスノード１００は、支援情報３０７を受信ＵＥ３０に送信する。受信ＵＥ３０は、受信した支援情報３０７を格納する。過去に格納された支援情報が受信ＵＥ３０において利用可能な場合、受信ＵＥ３０は、受信した支援情報３０７を用いて、過去に格納された支援情報を交換または更新するようにしてもよい。
【００４４】
また、さらに図示するように、受信ＵＥ３０は、支援情報３０８を送信ＵＥ２０に送信するようにしてもよい。支援情報３０８は、受信ＵＥ３０により受信され、送信ＵＥ３０に転送された支援情報３０７の少なくとも一部に対応していてもよい。さらに、受信ＵＥ３０は、過去に格納された支援情報の少なくとも一部を送信ＵＥ２０に転送することも可能である。支援情報３０８の送信としては、たとえばＳＬディスカバリ手順（たとえば、３ＧＰＰ  ＴＳ  ２３．３０３  Ｖ１４．１．０に規定のＰｒｏＳｅディスカバリ手順）の一部も可能である。送信ＵＥ２０は、受信した支援情報３０８を格納する。過去に格納された支援情報が送信ＵＥ２０において利用可能な場合、送信ＵＥ２０は、受信した支援情報３０８を用いて、過去に格納された支援情報を交換または更新するようにしてもよい。
【００４５】
図３Ｃは、送信ＵＥ２０および受信ＵＥ３０への支援情報の提供に使用可能なプロセスの別の例を示している。図３Ｃのプロセスにおいて、アクセスノード１００は最初に、支援情報３１１を送信ＵＥ２０に送信する。送信ＵＥ２０は、受信した支援情報３１１を格納する。過去に格納された支援情報が送信ＵＥ２０において利用可能な場合、送信ＵＥ２０は、受信した支援情報３１１を用いて、過去に格納された支援情報を交換または更新するようにしてもよい。
【００４６】
図３Ｃのプロセスにおいては、ブロック３１２により示すように、受信ＵＥ３０が送信ＵＥ２０の無線カバレッジエリアに入るものとさらに仮定する。その時点で、受信ＵＥ３０は、アクセスノード１００のサービスエリア１０１の外側であってもよいため、アクセスノード１００から支援情報を直接取得することはできない。
【００４７】
さらに図示するように、受信ＵＥ３０は、送信ＵＥ２０の無線カバレッジエリアに入ったことに応答して、リクエスト３１３を送信ＵＥ２０に送信する。リクエスト３１３としては、たとえばＳＬディスカバリ手順（たとえば、３ＧＰＰ  ＴＳ  ２３．３０３  Ｖ１４．１．０に規定のＰｒｏＳｅディスカバリ手順）の一部も可能である。リクエスト３１３に応答して、送信ＵＥ２０は、支援情報３１４を受信ＵＥ３０に送信する。支援情報３１４は、送信ＵＥ２０により受信され、受信ＵＥ３０に転送された支援情報３１１の少なくとも一部に対応していてもよい。さらに、送信ＵＥ２０は、過去に格納された支援情報の少なくとも一部を受信ＵＥ３０に転送することも可能である。受信ＵＥ３０は、受信した支援情報３１４を格納する。過去に格納された支援情報が受信ＵＥ３０において利用可能な場合、受信ＵＥ３０は、受信した支援情報３０７を用いて、過去に格納された支援情報を交換または更新するようにしてもよい。
【００４８】
図４は、送信ＵＥ２０および受信ＵＥ３０への支援情報の提供に使用可能なプロセスの別の例を示している。図４のプロセスにおいては、送信ＵＥ２０がアクセスノード１００のサービスエリア１０１に入るものと仮定する。ブロック４０１により示すように、アクセスノード１００は、たとえば送信ＵＥ２０によるアクセスノード１００への接続のセットアップに基づいて、送信ＵＥ２０がアクセスノード１００のサービスエリア１０１に入ったことを検出するようにしてもよい。
【００４９】
さらに図示するように、送信ＵＥ２０がアクセスノード１００のサービスエリア１０１に入ったことに応答して、アクセスノード１００は、支援情報４０２を送信ＵＥ２０に送信する。送信ＵＥ２０は、受信した支援情報４０２を格納する。過去に格納された支援情報が送信ＵＥ２０において利用可能な場合、送信ＵＥ２０は、受信した支援情報４０２を用いて、過去に格納された支援情報を交換または更新するようにしてもよい。
【００５０】
図４のプロセスにおいては、ある時点で受信ＵＥ３０がアクセスノード１００のサービスエリア１０１に入るものとさらに仮定する。ブロック４０３により示すように、アクセスノード１００は、たとえば受信ＵＥ２０によるアクセスノード１００への接続のセットアップに基づいて、受信ＵＥ３０がアクセスノード１００のサービスエリア１０１に入ったことを検出するようにしてもよい。
【００５１】
さらに図示するように、受信ＵＥ２０がアクセスノード１００のサービスエリア１０１に入ったことに応答して、アクセスノード１００は、支援情報４０４を送信ＵＥ２０に送信する。受信ＵＥ２０は、受信した支援情報４０４を格納する。過去に格納された支援情報が受信ＵＥ２０において利用可能な場合、送信ＵＥ２０は、受信した支援情報４０２を用いて、過去に格納された支援情報を交換または更新するようにしてもよい。
【００５２】
図４の例に見られるように、アクセスノード１００による支援情報４０２、４０４の送信のトリガには、送信ＵＥ２０からも受信ＵＥ３０からも、明示的なリクエストは不要である。さらに、いくつかのシナリオにおいては、送信ＵＥ２０または受信ＵＥ３０がアクセスノード１００のサービスエリア１０１に入ることの検出も省略可能である。たとえば、アクセスノード１００は、たとえばシステム情報の一部として支援情報４０２、４０４をブロードキャストすることも可能であり、これにより、支援情報４０２、４０４は、
【００５３】
なお、図３Ａ、図３Ｂ、図３Ｃ、および図４のプロセスは例示に過ぎず、さまざまな修正および／または組み合わせによって、支援情報を送信ＵＥ２０および受信ＵＥ３０に提供することも可能である。たとえば、図３Ｃのプロセスと同様に、送信ＵＥ２０は、受信ＵＥ３０の無線カバレッジエリアに入ったことに応答して、受信ＵＥ３０に支援情報を要求することが可能である。
【００５４】
図５は、設定テーブル５００に関して、支援情報の構成の一例を示している。設定テーブル５００は、複数の行を含み、それぞれ、第２段階のＳＣＩの伝送のための異なる候補設定に対応する。設定テーブル５００の左列により示すように、各候補設定は、インデックスにより識別されるようになっていてもよい。図示の例においては、第１の候補設定がインデックス１により識別され、第２の候補設定がインデックス２により識別され、第３の候補設定がインデックス３により識別され、第４の候補設定がインデックス４により識別され、第５の候補設定がインデックス５により識別され、第６の候補設定がインデックス６により識別される。ただし、図示の候補設定の数は例示に過ぎず、支援情報は、より多くの候補設定を規定することも可能であるし、より少ない候補設定を規定することも可能である。
【００５５】
設定テーブル５００の中央列により示すように、異なる候補設定はそれぞれ、特定の使用事例と関連付けられていてもよい。使用事例は、たとえばＳＬ無線伝送に割り当てられた異なるＰＰＰＰにより表される信頼性要件に関して異なっていてもよい。たとえば、安全関連の使用事例は、緊急メッセージまたは危険警報の伝送を伴っていてもよく、また、高優先レベルのＳＬ無線伝送への割り当てを伴っていてもよい。一方、安全関連ではない使用事例は、トラフィック情報メッセージの伝送を伴っていてもよく、また、低優先レベルのＳＬ無線伝送への割り当てを伴っていてもよい。図５の例において、異なる優先レベルは、異なるＰＰＰＰにより表される。また、設定テーブル５００の中央列によりさらに示すように、使用事例は、伝送シナリオに関して（たとえば、ＳＬ無線伝送がユニキャスト伝送であるかブロードキャスト伝送であるかに応じて）異なっていてもよい。また、設定テーブル５００の中央列によりさらに示すように、使用事例は、伝送モードに関して（たとえば、ＳＬ無線伝送がＳＩＳＯモードにて実行されるかＭＩＭＯモードにて実行されるかに応じて）異なっていてもよい。
【００５６】
設定テーブルの右列は、第２段階のＳＣＩの伝送のための設定のパラメータを示す。図示のように、これらのパラメータは、たとえばＲＢおよび／もしくはサブフレーム、第２段階のＳＣＩの伝送のための１つもしくは複数のＭＣＳ、第２段階のＳＣＩの伝送のための１つもしくは複数のアグリゲーションレベル、ならびに／または第２段階のＳＣＩのＳＣＩフォーマットの観点で規定された、第２段階のＳＣＩの伝送のための１つまたは複数の検索空間を示していてもよい。さらに、これらのパラメータは、参照シンボル（ＲＳ）設定を示していてもよいし、検知ベースのスケジューリング（ＳＢＳ）設定を示していてもよい。
【００５７】
使用事例に応じた設定を有することにより、たとえば、第２段階のＳＣＩのための小サイズＳＣＩフォーマットおよび／またはより高いアグリゲーションレベルの使用を伴う、高い信頼性を要する使用事例（たとえば、緊急メッセージまたは危険警報の伝送）の設定を規定することが可能であって、これにより、第２段階のＳＣＩの確実な伝送が保証され、ＳＬ無線伝送自体の信頼性が向上する。一方、高い信頼性を必要としない使用事例（たとえば、トラフィック情報の伝送）の場合は、より大きいサイズのＳＣＩフォーマットおよび／または低アグリゲーションレベルの使用を伴う設定を規定可能である。同様に、ＳＩＳＯモードでの伝送にあるＳＣＩフォーマットが用いられる一方、ＭＩＭＯモードでの伝送に別のＳＣＩフォーマットが用いられるようになっていてもよい。
【００５８】
なお、図５に示すような設定のパラメータは通常、さまざまな設定間で異なるものの、パラメータの重複が存在していてもよい。たとえば、ＳＣＩフォーマット（ＳＣＩフォーマット１、ＳＣＩフォーマット２、ＳＣＩフォーマット３、ＳＣＩフォーマット４、ＳＣＩフォーマット５、ＳＣＩフォーマット６）のうちの２つ以上が同じであってもよい。さらには、異なる検索空間（検索空間１、検索空間２、検索空間３、検索空間４、検索空間５、検索空間６、検索空間７、検索空間８、検索空間９）のうちの２つ以上の一部または全体が重複していてもよい。
【００５９】
さらに図示するように、設定の少なくとも一部が副設定を含んでいてもよい。たとえば、このような副設定は、図５の例の第５の設定および第６の設定について示すように、複数の候補検索空間を規定する設定に対応することも可能である。さらに、このような副設定は、図５の例の第１〜第５の設定について示すように、複数の候補アグリゲーションレベルを規定する設定に対応することも可能である。さらに、このような副設定は、図５の例の第３の設定について示すように、複数の候補ＳＣＩフォーマットを規定する設定に対応することも可能である。
【００６０】
さらに図示するように、ある設定が副設定を規定する場合、この設定は、副設定の優先順位も規定し得る。たとえば、異なる候補検索空間に対応する副設定を規定する第５および第６の設定の場合、この設定は、検索空間優先度（ＳＳ優先度）も規定する。第５の設定の場合は、検索空間６が最高の優先度を有するように規定され、これに検索空間５、さらに検索空間７が続く。したがって、受信ＵＥ３０は最初に、検索空間６においてブラインドデコード化を実行し、十分なブラインドデコード化容量が残っている場合は検索空間５で実行し、なお十分なブラインドデコード化容量が残っている場合は検索空間７で実行することになる。第６の設定の場合は、検索空間８が最高の優先度を有するように規定され、これに検索空間９が続く。したがって、受信ＵＥ３０は、検索空間８においてブラインドデコード化を実行し、十分なブラインドデコード化容量が残っている場合は検索空間９で実行することになる。いくつかのシナリオにおいて、特定の検索空間でブラインドデコード化を試行するかの決定は、受信ＵＥ３０の速度によっても決まり得る。たとえば、受信ＵＥ３０は、高速で移動し、低優先度の検索空間における伝送性能が低下する場合、低優先度の検索空間のうちの１つにおけるブラインドデコード化の試行を控えるように決定することも可能である。
【００６１】
いくつかのシナリオにおいて、上記設定は、異なる種類のＳＣＩの伝送のための異なる検索空間、アグリゲーションレベル、および／またはＳＣＩフォーマットを規定していてもよい。一例として、この無線通信システムは、（Ａ）スケジューリング（データ伝送のデコード化に必要な第１の種類のＳＣＩの伝送を含む）、（Ｂ）リソース予約（あとの時点で送信ＵＥ２０が特定の無線リソースを使用する意図を通知する第２の種類のＳＣＩの伝送を含む）、（Ｃ）リソース予約解除（送信ＵＥ２０が予約済みの無線リソースを解除する意図を通知する第３の種類のＳＣＩの伝送を含む）、および（Ｄ）リソース代替（予約済みの無線リソースの使用を控えるべきことを受信ＵＥ３０に通知する第４の種類のＳＣＩの伝送を含む）といった機能をサポートすることも可能である。前述の種類のＳＣＩそれぞれについて、第２段階のＳＣＩの伝送のための異なる設定が規定されるようになっていてもよく、たとえば、検索空間、アグリゲーションレベル、および／またはＳＣＩフォーマットに関して異なる。たとえば、第１の種類のＳＣＩおよび第２の種類のＳＣＩの場合、第２段階のＳＣＩの伝送のための設定では、たとえばＯＦＤＭ（直交周波数分割多重）シンボル群またはスロットにおける第１のＯＦＤＭシンボルに対応する第１の検索空間を用いて規定してもよい。一方、第３の種類のＳＣＩおよび第４の種類のＳＣＩの場合、第２段階のＳＣＩの伝送のための設定では、たとえば群またはスロット中の後続のＯＦＤＭシンボルの使用に対応する第２の検索空間を用いて規定してもよい。受信ＵＥ３０側では、異なる程度まで機能がサポートされるようになっていてもよい。たとえば、受信ＵＥ３０は、スケジューリングおよびリソース予約のみをサポートすることも可能である。この場合、受信ＵＥ３０は、第１の検索空間においてのみ、第２段階のＳＣＩのデコード化を試行することも可能である。一方、受信ＵＥ３０は、前述の機能（Ａ）〜（Ｄ）を完全にサポートする場合、第１の検索空間および第２の検索空間の両者において、第２段階のＳＣＩのデコード化を試行することも可能である。
【００６２】
なお、前述のさまざまな機能は、ほんの一例に過ぎず、他の機能に関して、同じような異なる種類のＳＣＩが規定されるようになっていてもよい。
【００６３】
いくつかのシナリオにおいて、第２段階のＳＣＩにて使用されるＳＣＩフォーマットは、後方互換性を促進するように設計されていてもよい。これは、すべてのＳＣＩフォーマットに共通する１つまたは複数の情報フィールドの規定により実現され、１つまたは複数の付加的な情報フィールドを補完することによって、将来のＳＣＩフォーマットを規定していてもよい。共通の情報フィールドは、ＳＣＩフォーマットの最初のビットに配置され、付加的な情報フィールドは、ＳＣＩフォーマットの後続ビットに配置されていてもよい。共通の情報フィールドは、割り当て無線リソース、リソース予約、優先レベルのような情報を示す。受信ＵＥ３０は、たとえば無線リソースの割り当て、無線リソースの予約、無線リソースの再選択、または無線リソースの代替の観点で、共通の情報フィールドが示す情報を利用して、現在受信中のＳＬ無線伝送および／または後続のＳＬ無線伝送のための無線リソースの選択を制御するようにしてもよい。
【００６４】
したがって、いくつかのシナリオにおいては、後方互換性を促進するのに、図示の概念の多段ＳＣＩが用いられるようになっていてもよい。たとえば、無線通信ネットワークにおいては、レガシーＵＥおよびより進化したＵＥが共存することも可能である。この場合、第１段階のＳＣＩは、レガシーＵＥおよびより進化したＵＥの両者がサポートするＳＣＩフォーマットを利用するようにしてもよい。また同様に、第２段階のＳＣＩは、レガシーＵＥおよびより進化したＵＥの両者がサポートする１つまたは複数のＳＣＩフォーマットを利用するようにしてもよい。ただし、第２段階のＳＣＩは、レガシーＵＥが十分にはサポートしない１つまたは複数のＳＣＩフォーマットを利用することも可能である。これらのＳＣＩフォーマットは、レガシーＵＥがサポートする１つまたは複数の共通の情報フィールドと、より進化したＵＥのみがサポートする１つまたは複数の付加的な情報フィールドとを規定していてもよい。このように、共通の情報フィールドは、レガシーＵＥのすべての機能をサポートし、後方互換性を保証する。付加的な情報フィールドは、より進化したＵＥの増強機能をサポートするために導入され得る。送信ＵＥ２０は、より進化したＵＥに対応する場合、共通の情報フィールドおよび付加的な情報フィールドを伴う第２段階のＳＣＩを送信可能である。一方、受信ＵＥ３０は、レガシーＵＥに対応する場合、第２段階のＳＣＩの共通の情報フィールドを受信するとともに、第２段階のＳＣＩの付加的な情報フィールドを無視することができる。
【００６５】
前述の通り、第２段階のＳＣＩは、ＳＬ無線伝送のための無線リソースの割り当てに関する情報を示していてもよい。無線リソースは、集中してスケジューリングされるようになっていてもよい。すなわち、アクセスノード１００からのＤＣＩ中のスケジューリング情報に基づいて選択されるようになっていてもよい。ただし、他のシナリオにおいて、ＳＬ無線伝送のための無線リソースは、送信ＵＥ２０により自律して割り当てられるようになっていてもよい。これは、送信ＵＥ２０によるチャネル検知を伴っていてもよい。すなわち、検知ベースのスケジューリングメカニズムに基づいていてもよい。したがって、第２段階のＳＣＩは、検知ベースのスケジューリングを実行する情報を示すことも可能である。ただし、場合によっては、検知ベースのスケジューリングの実行に必要なすべての情報（たとえば、割り当てられた無線リソースおよび／または優先レベル）が第１段階のＳＣＩに含まれていてもよい。
【００６６】
図示の概念に用いられるＳＣＩは、エラー検出コード（たとえば、伝送ＳＣＩの完全性を確認するＣＲＣ（巡回冗長検査）コードまたは類似の冗長検査コード）により保護されるようになっていてもよい。この場合は、たとえばＳＣＩの段階ごとに別個のエラー検出コードを使用するため、第１のエラー検出コードで第１段階のＳＣＩを保護し、第２のエラー検出コードで第２段階のＳＣＩを保護することができる。ただし、リソース効率を考慮して、第１段階のＳＣＩおよび第２段階のＳＣＩの両者に共通のエラー検出コードを使用することも可能である。この場合、共通のエラー検出コードは、第１段階のＳＣＩが搬送することも可能であるし、第２段階のＳＣＩが搬送することも可能であるし、第１段階のＳＣＩおよび第２段階のＳＣＩの両者が搬送することも可能である。共通のエラー検出コードが第１段階のＳＣＩおよび第２段階のＳＣＩの両者により伝送される場合は、エラー検出コードの第１の部分を第１段階のＳＣＩにおいて伝送し、エラー検出コードの第２の部分を第２段階のＳＣＩにおいて伝送し、エラー検出コードの第１の部分および第２の部分を受信ＵＥ３０により連結することも可能である。
【００６７】
図６は、図示の概念の実装に利用可能なＳＬ無線伝送を制御する方法を示したフローチャートである。図６の方法は、別の無線機器からＳＬ無線伝送を受信する無線機器において図示の概念を実装するのに用いられるようになっていてもよい。たとえば、無線機器は、前述の受信ＵＥ３０に対応することも可能であり、別の無線機器は、前述の送信ＵＥ２０に対応することも可能である。ＳＬ無線伝送としては、前述のＳＬデータ２０７の伝送等、データチャネル上の伝送が挙げられる。この代替または追加として、ＳＬ無線伝送としては、前述の参照シンボル２０８の伝送等、１つまたは複数の参照信号の伝送が挙げられる。
【００６８】
無線機器のプロセッサベースの実装が用いられる場合は、無線機器の１つまたは複数のプロセッサによって、図６の方法のステップの少なくとも一部が実行および／または制御されるようになっていてもよい。また、このような無線機器は、図６の方法の後述の機能またはステップの少なくとも一部を実装するプログラムコードを格納するメモリを具備していてもよい。
【００６９】
ステップ６１０において、無線機器は、支援情報を受信するようにしてもよい。無線機器は、前述のアクセスノード１００等、無線通信ネットワークのノードから支援情報の少なくとも一部を受信するようにしてもよい。これは、たとえば図３Ｂまたは図４のプロセスに関して説明した通り、無線機器がノードのサービスエリアに入ったことに応答して実現されるようになっていてもよい。この代替または追加として、無線機器は、図３Ａまたは図３Ｃのプロセスに関して説明した通り、別の無線機器から支援情報の少なくとも一部を受信するようにしてもよい。後者の場合、無線機器は、図３Ｃのプロセスに関して説明した通り、無線機器が別の無線機器の無線カバレッジエリアに入ったことに応答して、支援情報の少なくとも一部を受信するようにしてもよい。無線機器は、ノードおよび／または別の無線機器に支援情報を要求するようにしてもよい。すなわち、無線機器は、図３Ｂまたは図３Ｃのプロセスに関して説明した通り、当該無線機器からのリクエストに応答して、支援情報の少なくとも一部を受信するようにしてもよい。そして、無線機器は、受信した支援情報をあとで使用するため、格納するようにしてもよい。
【００７０】
ステップ６２０において、無線機器は、前述の第１段階のＳＣＩ２０４等、別の無線機器から第１のＳＣＩを受信する。また、いくつかのシナリオにおいて、第１のＳＣＩは、ＳＬ無線伝送のための無線リソースの検知ベースの割り当てに関する情報（たとえば、検知ベースの割り当てメカニズムによって無線リソースを見つけられるリソースプールを規定する情報および／または検知ベースの割り当てメカニズムがモニタリングする１つまたは複数の無線チャネルを規定する情報）を含んでいてもよい。
【００７１】
ステップ６３０において、無線機器は、前述の第２段階のＳＣＩ２０６等、第２のＳＣＩの伝送のための設定を決定する。この決定は、無線機器に格納された支援情報に基づいて実現される。この支援情報は、ステップ６１０において受信された支援情報に対して、少なくとも一部が対応していてもよい。さらに、ステップ６３０の決定は、ステップ６２０において受信された第１のＳＣＩに基づく。
【００７２】
いくつかのシナリオにおいては、第２のＳＣＩ情報の伝送に関する設定の第１の部分が第１のＳＣＩにより規定されるようになっていてもよく、第２のＳＣＩの伝送に関する設定の第２の部分が支援情報により規定されるようになっていてもよい。たとえば、支援情報は、設定を規定する１つまたは複数のパラメータを含んでいてもよく、これにより、設定の他のパラメータを暗示的に導出可能となる。このようなパラメータの例は、前述のＰＰＰＰ、意図するＳＬ無線伝送がユニキャスト伝送であるかブロードキャスト伝送であるかの前述のインジケータ、および／またはＳＬ無線伝送がＳＩＳＯモードでの実行を意図するかＭＩＭＯモードでの実行を意図するかの前述のインジケータ（たとえば、図５の設定テーブルの中央列に示したようなパラメータ）である。
【００７３】
支援情報は、第２のＳＣＩの伝送のための複数の候補設定を規定していてもよい。この場合、第１のＳＣＩは、候補設定の中で、第２のＳＣＩの伝送のための設定を識別するようにしてもよい。たとえば、第１のＳＣＩは、図５に関して説明した設定インデックス等、候補設定の中で、第２のＳＣＩの伝送のための設定を識別するインデックスを含むことも可能である。ただし、第１のＳＣＩは、ＰＰＰＰ、意図するＳＬ無線伝送がユニキャスト伝送であるかブロードキャスト伝送であるかのインジケータ、および／またはＳＬ無線伝送がＳＩＳＯモードでの実行を意図するかＭＩＭＯモードでの実行を意図するかのインジケータ（たとえば、図５の設定テーブルの中央列に示したようなパラメータ）等、設定の暗示的な識別に使用可能な他の情報を含むことも可能である。
【００７４】
第２のＳＣＩの伝送のための設定は、第２のＳＣＩの伝送のための検索空間を構成する無線リソースを規定していてもよい。また、いくつかのシナリオにおいて、第２のＳＣＩの伝送のための設定は、ＳＣＩの伝送のための複数の検索空間を構成する無線リソースを規定していてもよい。また、この場合の設定は、複数の検索空間の優先順位を規定していてもよい。
【００７５】
また、第２のＳＣＩの伝送のための設定は、前述のＳＣＩフォーマット等、第２のＳＣＩの伝送のための１つまたは複数のフォーマットを規定していてもよい。また、複数のフォーマットを規定する場合、この設定は、これら複数のフォーマットの優先順位を規定していてもよい。また、この追加または代替として、第２のＳＣＩの伝送のための設定は、第２のＳＣＩの伝送のための１つまたは複数のアグリゲーションレベルを規定していてもよい。また、複数のアグリゲーションレベルを規定する場合、この設定は、これら複数のアグリゲーションレベルの優先順位を規定していてもよい。また、この追加または代替として、第２のＳＣＩの伝送のための設定は、第２のＳＣＩの伝送のための１つまたは複数の変調および／または符号化方式を規定していてもよい。また、複数の変調および／または符号化方式を規定する場合、この設定は、これら複数の変調および／または符号化方式の優先順位を規定していてもよい。
【００７６】
ステップ６４０において、無線機器は、別の無線機器から第２のＳＣＩを受信する。これは、ステップ６３０において決定された設定に基づいて実現される。
【００７７】
第２のＳＣＩは、ＳＬ無線伝送に用いられる無線リソース、ＳＬ無線伝送に用いられる変調および／もしくは符号化方式、ＳＬ無線伝送の１つもしくは複数の再送信パラメータ、ならびにＳＬ無線伝送の優先レベル、のうちの少なくとも１つを示す情報を含んでいてもよい。無線リソースは、時間／周波数位置の観点および／またはリソース予約の観点で示すことができる。
【００７８】
いくつかのシナリオにおいて、第１のＳＣＩおよび第２のＳＣＩの少なくとも一方は、第１のＳＣＩおよび第２のＳＣＩの両者の完全性を確認する共通のエラー検出コードを含む。共通のエラー検出コードに基づいて、無線機器は、単一の完全性確認を実行することにより、第１のＳＣＩおよび第２のＳＣＩを正しく受信したかを調べるようにしてもよい。
【００７９】
ステップ６５０において、無線機器は、別の無線機器からＳＬ無線伝送を受信する。これは、ステップ６４０において受信された第２のＳＣＩに基づいて実現される。
【００８０】
図７は、図６の方法に従って動作する無線機器７００の機能を示したブロック図である。無線機器７００は、たとえば前述の受信ＵＥ３０に対応していてもよい。図示のように、無線機器７００には任意選択として、ステップ６１０に関して説明した通り、支援情報を受信するように構成されたモジュール７１０が設けられていてもよい。さらに、無線機器７００には、ステップ６２０に関して説明した通り、第１のＳＣＩを受信するように構成されたモジュール７２０が設けられていてもよい。さらに、無線機器７００には、ステップ６３０に関して説明した通り、第２のＳＣＩの伝送のための設定を決定するように構成されたモジュール７３０が設けられていてもよい。さらに、無線機器７００には、ステップ６４０に関して説明した通り、第２のＳＣＩを受信するように構成されたモジュール７４０が設けられていてもよい。さらに、無線機器７００には、ステップ６５０に関して説明した通り、ＳＬ無線伝送を受信するように構成されたモジュール７５０が設けられていてもよい。
【００８１】
なお、無線機器７００は、Ｖ２Ｘまたは他種のＳＬ通信をサポートするＵＥの既知の機能等、他の機能を実装する他のモジュールを具備していてもよい。さらに、無線機器７００のモジュールは、必ずしも無線機器７００のハードウェア構造を表しておらず、たとえばハードウェア、ソフトウェア、またはこれらの組み合わせにより実装される機能的要素に対応していてもよい。
【００８２】
図８は、図示の概念の実装に利用可能なＳＬ無線伝送を制御する方法を示したフローチャートである。図８の方法は、ＳＬ無線伝送を別の無線機器に送信する無線機器において図示の概念を実装するのに用いられるようになっていてもよい。たとえば、無線機器は、前述の送信ＵＥ２０に対応することも可能であり、別の無線機器は、前述の受信ＵＥ３０に対応することも可能である。ＳＬ無線伝送としては、前述のＳＬデータ２０７の伝送等、データチャネル上の伝送が挙げられる。この代替または追加として、ＳＬ無線伝送としては、前述の参照シンボル２０８の伝送等、１つまたは複数の参照信号の伝送が挙げられる。
【００８３】
無線機器のプロセッサベースの実装が用いられる場合は、無線機器の１つまたは複数のプロセッサによって、図８の方法のステップの少なくとも一部が実行および／または制御されるようになっていてもよい。また、このような無線機器は、図８の方法の後述の機能またはステップの少なくとも一部を実装するプログラムコードを格納するメモリを具備していてもよい。
【００８４】
ステップ８１０において、無線機器は、支援情報を受信するようにしてもよい。無線機器は、前述のアクセスノード１００等、無線通信ネットワークのノードから支援情報の少なくとも一部を受信するようにしてもよい。これは、たとえば図３Ａまたは図４のプロセスに関して説明した通り、無線機器がノードのサービスエリアに入ったことに応答して実現されるようになっていてもよい。この代替または追加として、無線機器は、図３Ｂのプロセスに関して説明した通り、別の無線機器から支援情報の少なくとも一部を受信するようにしてもよい。後者の場合、無線機器は、無線機器が別の無線機器の無線カバレッジエリアに入ったことに応答して、支援情報の少なくとも一部を受信するようにしてもよい。無線機器は、ノードおよび／または別の無線機器に支援情報を要求するようにしてもよい。すなわち、無線機器は、図３Ａのプロセスに関して説明した通り、当該無線機器からのリクエストに応答して、支援情報の少なくとも一部を受信するようにしてもよい。そして、無線機器は、受信した支援情報をあとで使用するため、格納するようにしてもよい。
【００８５】
ステップ８２０において、無線機器は、前述の第１段階のＳＣＩ２０４等、第１のＳＣＩを決定する。支援情報は、第１のＳＣＩを第２のＳＣＩ（前述の第２段階のＳＣＩ２０６等）の伝送に関する設定に関連付ける。この決定は、無線機器に格納された支援情報に基づいて実現される。この支援情報は、ステップ８１０において受信された支援情報に対して、少なくとも一部が対応していてもよい。ステップ８２０の決定では、たとえばＳＬ無線伝送の送信を伴う使用事例またはＳＬ無線伝送の種類に応じて、無線機器が最初に設定を決定するようにしてもよい。その後、無線機器は、格納された支援情報に基づいて設定を識別できるように、第２のＳＣＩを選択するようにしてもよい。
【００８６】
いくつかのシナリオにおいては、第２のＳＣＩの伝送に関する設定の第１の部分が第１のＳＣＩにより規定されるようになっていてもよく、第２のＳＣＩの伝送に関する設定の第２の部分が支援情報により規定されるようになっていてもよい。たとえば、支援情報は、設定を規定する１つまたは複数のパラメータを含んでいてもよく、これにより、設定の他のパラメータを暗示的に導出可能となる。このようなパラメータの例は、前述のＰＰＰＰ、意図するＳＬ無線伝送がユニキャスト伝送であるかブロードキャスト伝送であるかの前述のインジケータ、および／またはＳＬ無線伝送がＳＩＳＯモードでの実行を意図するかＭＩＭＯモードでの実行を意図するかの前述のインジケータ（たとえば、図５の設定テーブルの中央列に示したようなパラメータ）である。
【００８７】
支援情報は、第２のＳＣＩの伝送のための複数の候補設定を規定していてもよい。この場合、第１のＳＣＩは、候補設定の中で、第２のＳＣＩの伝送のための設定を識別するようにしてもよい。たとえば、第１のＳＣＩは、図５に関して説明した設定インデックス等、候補設定の中で、第２のＳＣＩの伝送のための設定を識別するインデックスを含むことも可能である。ただし、第１のＳＣＩは、ＰＰＰＰ、意図するＳＬ無線伝送がユニキャスト伝送であるかブロードキャスト伝送であるかのインジケータ、および／またはＳＬ無線伝送がＳＩＳＯモードでの実行を意図するかＭＩＭＯモードでの実行を意図するかのインジケータ（たとえば、図５の設定テーブルの中央列に示したようなパラメータ）等、設定の暗示的な識別に使用可能な他の情報を含むことも可能である。
【００８８】
ＳＣＩの伝送のための設定は、第２のＳＣＩの伝送のための検索空間を構成する無線リソースを規定していてもよい。また、いくつかのシナリオにおいて、第２のＳＣＩの伝送のための設定は、ＳＣＩの伝送のための複数の検索空間を構成する無線リソースを規定していてもよい。また、この場合の設定は、複数の検索空間の優先順位を規定していてもよい。
【００８９】
また、第２のＳＣＩの伝送のための設定は、前述のＳＣＩフォーマット等、第２のＳＣＩの伝送のための１つまたは複数のフォーマットを規定していてもよい。また、複数のフォーマットを規定する場合、この設定は、これら複数のフォーマットの優先順位を規定していてもよい。また、この追加または代替として、第２のＳＣＩの伝送のための設定は、第２のＳＣＩの伝送のための１つまたは複数のアグリゲーションレベルを規定していてもよい。また、複数のアグリゲーションレベルを規定する場合、この設定は、これら複数のアグリゲーションレベルの優先順位を規定していてもよい。また、この追加または代替として、第２のＳＣＩの伝送のための設定は、第２のＳＣＩの伝送のための１つまたは複数の変調および／または符号化方式を規定していてもよい。また、複数の変調および／または符号化方式を規定する場合、この設定は、これら複数の変調および／または符号化方式の優先順位を規定していてもよい。
【００９０】
ステップ８３０において、無線機器は、第１のＳＣＩを別の無線機器に送信する。また、いくつかのシナリオにおいて、第１のＳＣＩは、ＳＬ無線伝送のための無線リソースの検知ベースの割り当てに関する情報（たとえば、検知ベースの割り当てメカニズムによって無線リソースを見つけられるリソースプールを規定する情報および／または検知ベースの割り当てメカニズムがモニタリングする１つまたは複数の無線チャネルを規定する情報）を含んでいてもよい。
【００９１】
ステップ８４０において、無線機器は、第２のＳＣＩを別の無線機器に送信する。これは、ステップ８２０において決定された第１のＳＣＩと関連する設定に基づいて実現される。
【００９２】
第２のＳＣＩは、ＳＬ無線伝送に用いられる無線リソース、ＳＬ無線伝送に用いられる変調および／もしくは符号化方式、ＳＬ無線伝送の１つもしくは複数の再送信パラメータ、ならびにＳＬ無線伝送の優先レベル、のうちの少なくとも１つを示す情報を含んでいてもよい。無線リソースは、時間／周波数位置および／またはリソース予約の観点で示すことができる。
【００９３】
いくつかのシナリオにおいて、第１のＳＣＩおよび第２のＳＣＩの少なくとも一方は、第１のＳＣＩおよび第２のＳＣＩの両者の完全性を確認する共通のエラー検出コードを含む。共通のエラー検出コードに基づいて、無線機器は、単一の完全性確認を実行することにより、第１のＳＣＩおよび第２のＳＣＩを正しく受信したかを調べるようにしてもよい。
【００９４】
ステップ８５０において、無線機器は、ＳＬ無線伝送を別の無線機器に送信する。これは、ステップ８４０において送信された第２のＳＣＩに基づいて実現される。
【００９５】
図９は、図８の方法に従って動作する無線機器９００の機能を示したブロック図である。無線機器９００は、たとえば前述の送信ＵＥ２０に対応していてもよい。図示のように、無線機器９００には任意選択として、ステップ８１０に関して説明した通り、支援情報を受信するように構成されたモジュール９１０が設けられていてもよい。さらに、無線機器９００には、ステップ８２０に関して説明した通り、第１のＳＣＩを決定するように構成されたモジュール９２０が設けられていてもよい。さらに、無線機器９００には、ステップ８３０に関して説明した通り、第１のＳＣＩを送信するように構成されたモジュール９３０が設けられていてもよい。さらに、無線機器９００には、ステップ８４０に関して説明した通り、第２のＳＣＩを送信するように構成されたモジュール９４０が設けられていてもよい。さらに、無線機器９００には、ステップ８５０に関して説明した通り、ＳＬ無線伝送を送信するように構成されたモジュール９５０が設けられていてもよい。
【００９６】
なお、無線機器９００は、Ｖ２Ｘまたは他種のＳＬ通信をサポートするＵＥの既知の機能等、他の機能を実装する他のモジュールを具備していてもよい。さらに、無線機器９００のモジュールは、必ずしも無線機器９００のハードウェア構造を表しておらず、たとえばハードウェア、ソフトウェア、またはこれらの組み合わせにより実装される機能的要素に対応していてもよい。
【００９７】
図１０は、図示の概念の実装に利用可能なＳＬ無線伝送を制御する方法を示したフローチャートである。図１０の方法は、第１の無線機器および第２の無線機器の少なくとも一方を制御する無線通信ネットワークのノードにおいて図示の概念を実装するのに用いられるようになっていてもよい。したがって、この方法の少なくとも一部のステップは、ノードにより実行されるようになっていてもよい。ノードは、前述のアクセスノード１００に対応することも可能であり、第１の無線機器は、前述の送信ＵＥ２０に対応することも可能であり、第２の無線機器は、前述の受信ＵＥ３０に対応することも可能である。第１の無線機器は、ＳＬ無線伝送を第２の無線機器に送信するようにしてもよい。ＳＬ無線伝送としては、前述のＳＬデータ２０７の伝送等、データチャネル上の伝送が挙げられる。この代替または追加として、ＳＬ無線伝送としては、前述の参照シンボル２０８の伝送等、１つまたは複数の参照信号の伝送が挙げられる。
【００９８】
ノードのプロセッサベースの実装が用いられる場合は、ノードの１つまたは複数のプロセッサによって、図１０の方法のステップの少なくとも一部が実行および／または制御されるようになっていてもよい。また、このような無線機器は、図１０の方法の後述の機能またはステップの少なくとも一部を実装するプログラムコードを格納するメモリを具備していてもよい。
【００９９】
ステップ１０１０においては、支援情報が第１の無線機器に提供される。たとえば、前述のノードは、図３Ａまたは図４のプロセスに関して説明した通り、第１の無線機器がノードのサービスエリアに入ったことに応答して、支援情報を送信するようにしてもよい。ノードは、図３Ｂのプロセスに関して説明した通り、第２の無線機器を介して、支援情報を第１の無線機器に送信するようにしてもよい。
【０１００】
支援情報は、前述の第１段階のＳＣＩ２０４等、第１の無線機器から第２の無線機器に伝送された第１のＳＣＩを、前述の第２段階のＳＣＩ２０６等、第１の無線機器から第２の無線機器への第２のＳＣＩの伝送に関する設定に関連付ける。
【０１０１】
ステップ１０２０において、支援情報は、第２の無線機器に提供される。これは、たとえば図３Ｂまたは図４のプロセスに関して説明した通り、第２の無線機器がノードのサービスエリアに入ったことに応答して実現されるようになっていてもよい。ノードは、図３Ａおよび図３Ｃのプロセスに関して説明した通り、第１の無線機器を介して、支援情報を第２の無線機器に送信するようにしてもよい。
【０１０２】
そして、第１および第２の無線機器は、受信した支援情報をあとで使用するため、格納するようにしてもよい。
【０１０３】
いくつかのシナリオにおいては、第２のＳＣＩの伝送に関する設定の第１の部分が第１のＳＣＩにより規定されるようになっていてもよく、第２のＳＣＩの伝送に関する設定の第２の部分が支援情報により規定されるようになっていてもよい。たとえば、支援情報は、設定を規定する１つまたは複数のパラメータを含んでいてもよく、これにより、設定の他のパラメータを暗示的に導出可能となる。このようなパラメータの例は、前述のＰＰＰＰ、意図するＳＬ無線伝送がユニキャスト伝送であるかブロードキャスト伝送であるかの前述のインジケータ、および／またはＳＬ無線伝送がＳＩＳＯモードでの実行を意図するかＭＩＭＯモードでの実行を意図するかの前述のインジケータ（たとえば、図５の設定テーブルの中央列に示したようなパラメータ）である。
【０１０４】
支援情報は、第２のＳＣＩの伝送のための複数の候補設定を規定していてもよい。この場合、第１のＳＣＩは、候補設定の中で、第２のＳＣＩの伝送のための設定を識別するようにしてもよい。たとえば、第１のＳＣＩは、図５に関して説明した設定インデックス等、候補設定の中で、第２のＳＣＩの伝送のための設定を識別するインデックスを含むことも可能である。ただし、第１のＳＣＩは、ＰＰＰＰ、意図するＳＬ無線伝送がユニキャスト伝送であるかブロードキャスト伝送であるかのインジケータ、および／またはＳＬ無線伝送がＳＩＳＯモードでの実行を意図するかＭＩＭＯモードでの実行を意図するかのインジケータ（たとえば、図５の設定テーブルの中央列に示したようなパラメータ）等、設定の暗示的な識別に使用可能な他の情報を含むことも可能である。
【０１０５】
ＳＣＩの伝送のための設定は、第２のＳＣＩの伝送のための検索空間を構成する無線リソースを規定していてもよい。また、いくつかのシナリオにおいて、第２のＳＣＩの伝送のための設定は、ＳＣＩの伝送のための複数の検索空間を構成する無線リソースを規定していてもよい。また、この場合の設定は、複数の検索空間の優先順位を規定していてもよい。
【０１０６】
また、第２のＳＣＩの伝送のための設定は、前述のＳＣＩフォーマット等、第２のＳＣＩの伝送のための１つまたは複数のフォーマットを規定していてもよい。また、複数のフォーマットを規定する場合、この設定は、これら複数のフォーマットの優先順位を規定していてもよい。また、この追加または代替として、第２のＳＣＩの伝送のための設定は、第２のＳＣＩの伝送のための１つまたは複数のアグリゲーションレベルを規定していてもよい。また、複数のアグリゲーションレベルを規定する場合、この設定は、これら複数のアグリゲーションレベルの優先順位を規定していてもよい。また、この追加または代替として、第２のＳＣＩの伝送のための設定は、第２のＳＣＩの伝送のための１つまたは複数の変調および／または符号化方式を規定していてもよい。また、複数の変調および／または符号化方式を規定する場合、この設定は、これら複数の変調および／または符号化方式の優先順位を規定していてもよい。
【０１０７】
また、いくつかのシナリオにおいて、第１のＳＣＩは、ＳＬ無線伝送のための無線リソースの検知ベースの割り当てに関する情報（たとえば、検知ベースの割り当てメカニズムによって無線リソースを見つけられるリソースプールを規定する情報および／または検知ベースの割り当てメカニズムがモニタリングする１つまたは複数の無線チャネルを規定する情報）を含んでいてもよい。
【０１０８】
第２のＳＣＩは、ＳＬ無線伝送に用いられる無線リソース、ＳＬ無線伝送に用いられる変調および／もしくは符号化方式、ＳＬ無線伝送の１つもしくは複数の再送信パラメータ、ならびにＳＬ無線伝送の優先レベル、のうちの少なくとも１つを示す情報を含んでいてもよい。無線リソースは、時間／周波数位置および／またはリソース予約の観点で示すことができる。
【０１０９】
いくつかのシナリオにおいて、第１のＳＣＩおよび第２のＳＣＩの少なくとも一方は、第１のＳＣＩおよび第２のＳＣＩの両者の完全性を確認する共通のエラー検出コードを含む。共通のエラー検出コードに基づいて、無線機器は、単一の完全性確認を実行することにより、第１のＳＣＩおよび第２のＳＣＩを正しく受信したかを調べるようにしてもよい。
【０１１０】
図１１は、図１０の方法に従って動作するノード１１００の機能を示したブロック図である。ノード１１００は、たとえば前述のアクセスノード１００に対応していてもよい。図示のように、ノード１１００には、ステップ１０１０に関して説明した通り、支援情報を第１の無線機器に提供するように構成されたモジュール１１１０が設けられていてもよい。さらに、ノードには、ステップ１０２０に関して説明した通り、支援情報を第２の無線機器に提供するように構成されたモジュール１１２０が設けられていてもよい。
【０１１１】
なお、無線機器１１００は、ＬＴＥ無線技術のｅＮＢ、ＮＲ技術のｇＮＢ、または類似のアクセスノードの既知の機能等、他の機能を実装する他のモジュールを具備していてもよい。
【０１１２】
なお、図６および図８のほか、任意選択として図１０に関して説明した機能は、図６の方法に従って動作する第１の無線機器と、図８の方法に従って動作する第２の無線機器と、任意選択として、図１０の方法に従って動作するネットワークノードとを具備するシステムにおいて組み合わせることも可能である。このようなシステムにおいて、第１の無線機器は、当該第１の無線機器に格納された支援情報に基づいて、第１のＳＣＩを決定するようにしてもよい。支援情報は、第１のＳＣＩを第２のＳＣＩの伝送に関する設定に関連付ける。さらに、第１の無線機器は、第１のＳＣＩを第２の無線機器に送信する。また、第１のＳＣＩと関連する設定に基づいて、第１の無線機器は、第２のＳＣＩを第２の無線機器にも送信する。第２のＳＣＩに基づいて、第１の無線機器は、ＳＬ無線伝送を第２の無線機器に送信する。第２の無線機器は、第１の無線機器から第１のＳＣＩを受信する。さらに、第２の無線機器は、当該第２の無線機器に格納された支援情報および受信した第１のＳＣＩに基づいて、第２のＳＣＩの伝送に関する設定を決定する。さらに、第２の無線機器は、決定した設定に基づいて、第１の無線機器から第２のＳＣＩを受信する。さらに、第２の無線機器は、受信した第２のＳＣＩに基づいて、第１の無線機器からＳＬ無線伝送を受信する。図１０の方法に従って動作するノードは、支援情報を第１の無線機器および／または第２の無線機器に提供するようにしてもよい。
【０１１３】
さらに、図６および図８の方法は、たとえば別の無線機器との双方向ＳＬ通信を実行する場合に、ＳＬ無線伝送の受信機および送信機の両者として作用する同じ無線機器内で実装することも可能である。
【０１１４】
図１２は、上述の概念の実装に使用可能な無線機器１２００のプロセッサベースの実装を示している。たとえば、図１２に示す構造は、前述の送信ＵＥ２０または受信ＵＥ３０における概念の実装に用いられるようになっていてもよい。
【０１１５】
図示のように、無線機器１２００は、１つまたは複数の無線インターフェース１２１０を具備する。無線インターフェース１２１０は、たとえばＬＴＥ無線技術またはＮＲ無線技術等、ＳＬ無線伝送をサポートする無線アクセス技術をサポートし得る。さらに、無線インターフェース１２１０は、無線通信ネットワークとのＤＬ無線伝送およびＵＬ無線伝送をサポートし得る。
【０１１６】
さらに、無線機器１２００は、無線インターフェース１２１０に結合された１つまたは複数のプロセッサ１２５０と、プロセッサ１２５０に結合されたメモリ１２６０とを具備していてもよい。一例として、無線インターフェース１２１０、プロセッサ１２５０、およびメモリ１２６０は、無線機器１２００の１つまたは複数の内部バスシステムによって結合することも可能である。メモリ１２６０としては、リードオンリーメモリ（ＲＯＭ）（たとえば、フラッシュＲＯＭ）、ランダムアクセスメモリ（ＲＡＭ）（たとえば、ダイナミックＲＡＭ（ＤＲＡＭ）またはスタティックＲＡＭ（ＳＲＡＭ））、マスストレージ（たとえば、ハードディスクまたは半導体ディスク）等が挙げられる。図示のように、メモリ１２６０は、ソフトウェア１２７０、ファームウェア１２８０、および／または制御パラメータ１２９０を含んでいてもよい。メモリ１２６０は、図６および／または図８に関して説明した通り、無線機器または無線機器を制御する装置の上述の機能を実現するようにプロセッサ１２５０が実行する好適な設定のプログラムコードを含んでいてもよい。
【０１１７】
図１２に示す構造は模式に過ぎず、たとえば他のインターフェースまたはプロセッサ等、明瞭化のため図示していない他の構成要素を無線機器１２００が実際には具備していてもよいことが了解される。また、メモリ１２６０は、たとえばＶ２Ｘ通信の実装等、ＳＬ無線伝送をサポートするＵＥの既知の機能を実装する別のプログラムコードを含んでいてもよいことが了解される。また、いくつかの実施形態によれば、たとえばメモリ１２６０に格納されるプログラムコードおよび／もしくは他のデータを格納する物理的媒体の形態、または、プログラムコードのダウンロード利用の提供もしくはストリーミング利用による提供にて、無線機器１２００の機能を実装するコンピュータプログラムが提供されるようになっていてもよい。
【０１１８】
図１３は、上述の概念の実装に使用可能なネットワークノード１３００のプロセッサベースの実装を示している。たとえば、図１３に示す構造は、前述の送信における概念の実装に用いられるようになっていてもよい。
【０１１９】
図示のように、ネットワークノード１３００は、アクセスインターフェース１３１０を具備する。アクセスインターフェース１３１０は、ＤＬ無線伝送およびＵＬ無線伝送による１つまたは複数の無線機器との通信ならびにこれら無線機器の制御に用いられるようになっていてもよい。ネットワークノードがアクセスノードに対応する場合、アクセスインターフェース１３１０は、無線インターフェースであってもよい。ただし、いくつかのシナリオにおいて、ネットワークノード１３００は、より集中型のノード（たとえば、コアネットワークノード）に対応することも可能である。また、この場合、アクセスインターフェース１３００は、無線機器にサーブするアクセスノードとの通信用のインターフェースに対応することも可能である。前述の送信ＵＥ２０および受信ＵＥ３０は、このような無線機器の例である。さらに図示するように、アクセスノードは、他のネットワークノードとの通信に使用可能なネットワークインターフェース１３２０を具備していてもよい。
【０１２０】
さらに、ネットワークノード１３００は、アクセスインターフェース１３１０に結合された１つまたは複数のプロセッサ１３５０と、プロセッサ１３５０に結合されたメモリ１３６０とを具備していてもよい。一例として、アクセスインターフェース１３１０、プロセッサ１３５０、およびメモリ１３６０は、ネットワークノード１３００の１つまたは複数の内部バスシステムによって結合することも可能である。メモリ１３６０としては、ＲＯＭ（たとえば、フラッシュＲＯＭ）、ＲＡＭ（ＤＲＡＭまたはＳＲＡＭ）、マスストレージ（たとえば、ハードディスクまたは半導体ディスク）等が挙げられる。図示のように、メモリ１３６０は、ソフトウェア１３７０、ファームウェア１３８０、および／または制御パラメータ１３９０を含んでいてもよい。メモリ１３６０は、図１０に関して説明した通り、ネットワークノードの上述の機能を実装するようにプロセッサ１３５０が実行する好適な設定のプログラムコードを含んでいてもよい。
【０１２１】
図１３に示す構造は模式に過ぎず、たとえば他のインターフェースまたはプロセッサ等、明瞭化のため図示していない他の構成要素をネットワークノード１３００が実際には具備していてもよいことが了解される。また、メモリ１３６０は、ＬＴＥ無線技術のｅＮＢ、ＮＲ無線技術のｇＮＢ、または類似のネットワークノードの既知の機能を実装する別のプログラムコードを含んでいてもよいことが了解される。また、いくつかの実施形態によれば、たとえばメモリ１３６０に格納されるプログラムコードおよび／もしくは他のデータを格納する物理的媒体の形態、または、プログラムコードのダウンロード利用の提供もしくはストリーミング利用による提供にて、ネットワークノード１３００の機能を実装するコンピュータプログラムが提供されるようになっていてもよい。
【０１２２】
以上から分かるように、上述の概念は、ＳＬ無線伝送の高効率な制御に用いられるようになっていてもよい。特に、ＳＬ無線伝送の受信機に求められる複雑性を過度に増大させることなく、ＳＬ無線伝送の制御に用いられるＳＣＩの変動性を高くすることができる。特に、ＳＬ無線伝送の受信機によるブラインドデコード化を抑制あるいは完全に回避可能である。このように、ＳＬ無線伝送に関して、異なる要件のさまざまな使用事例を効率的にサポート可能である。さらに、後方互換性を促進するように、ＳＣＩの伝送を構成可能である。
【０１２３】
上記説明の例および実施形態は、単なる例示に過ぎず、さまざまな改良の影響を受けやすいことが了解される。たとえば、図示の概念は、ＬＴＥ無線技術またはＮＲ無線技術の前述の例に限らず、さまざまな種類の無線技術との関連で適用可能である。さらに、これらの概念は、２段階のＳＣＩの抑制に限らず、過去の段階に伝送されたＳＣＩから各段階の設定が暗示的に決定される任意のより大きな段階数に対応するように適用することも可能である。さらに、上記概念は、既存の機器もしくは装置の１つもしくは複数のプロセッサまたは専用機器ハードウェアにより実行される対応設計のソフトウェアを用いて実装可能であることが了解される。さらに、図示の装置または機器はそれぞれ、単一の機器としても実装可能であるし、複数の相互作用する機器またはモジュールから成るシステムとしても実装可能であることに留意するものとする。
【０１２４】
上記に照らして、本開示が提供する実施形態は、以下を含む。
【０１２５】
実施形態１：無線通信ネットワークにおいてサイドリンク無線伝送を制御する方法であって、
無線機器（３０）が、別の無線機器（２０）から第１のサイドリンク制御情報（２０４）を受信することと、
無線機器（３０）に格納された支援情報および受信した第１のサイドリンク制御情報（２０４）に基づいて、無線機器（３０）が、第２のサイドリンク制御情報（２０６）の伝送に関する設定を決定することと、
第２のサイドリンク制御情報（２０６）の伝送に関する決定した設定に基づいて、無線機器（３０）が、別の無線機器（２０）から第２のサイドリンク制御情報（２０６）を受信することと、
受信した第２のサイドリンク制御情報（２０６）に基づいて、無線機器（３０）が、別の無線機器（２０）からのサイドリンク無線伝送（２０７、２０８）を受信することと、
を含む、方法。
【０１２６】
実施形態２：支援情報が、第２のサイドリンク制御情報（２０６）の伝送に関する複数の候補設定を規定し、
第１のサイドリンク制御情報（２０４）が、候補設定の中で、第２のサイドリンク制御情報（２０６）の伝送に関する設定を識別する、実施形態１に記載の方法。
【０１２７】
実施形態３：第１のサイドリンク制御情報（２０４）が、候補設定の中で、第２のサイドリンク制御情報（２０６）の伝送に関する設定を識別するインデックスを含む、実施形態２に記載の方法。
【０１２８】
実施形態４：第１のサイドリンク制御情報（２０４）が、サイドリンク無線伝送（２０７、２０８）のための無線リソースの検知ベース割り当てに関する情報を含む、実施形態１から３のいずれか１つに記載の方法。
【０１２９】
実施形態５：第２のサイドリンク制御情報（２０６）が、サイドリンク無線伝送（２０７、２０８）に用いられる無線リソース、サイドリンク無線伝送（２０７、２０８）に用いられる変調および／もしくは符号化方式、サイドリンク無線伝送（２０７、２０８）の１つもしくは複数の再送信パラメータ、ならびにサイドリンク無線伝送（２０７、２０８）の優先レベル、のうちの少なくとも１つを示す情報を含む、実施形態１から４のいずれか１つに記載の方法。
【０１３０】
実施形態６：第２のサイドリンク制御情報（２０６）の伝送に関する設定の第１の部分が、第１のサイドリンク制御情報（２０４）により規定され、第２のサイドリンク制御情報（２０６）の伝送に関する設定の第２の部分が、支援情報により規定される、実施形態１から５のいずれか１つに記載の方法。
【０１３１】
実施形態７：第２のサイドリンク制御情報（２０６）の伝送に関する設定が、第２のサイドリンク制御情報（２０６）の伝送のための検索空間を構成する無線リソースを規定する、実施形態１から６のいずれか１つに記載の方法。
【０１３２】
実施形態８：第２のサイドリンク制御情報（２０６）の伝送に関する設定が、第２のサイドリンク制御情報（２０６）の伝送のための複数の検索空間を構成する無線リソースおよび複数の検索空間の優先順位を規定する、実施形態７に記載の方法。
【０１３３】
実施形態９：第２のサイドリンク制御情報（２０６）の伝送に関する設定が、第２のサイドリンク制御情報（２０６）の伝送に関するフォーマットを規定する、実施形態１から８のいずれか１つに記載の方法。
【０１３４】
実施形態１０：第２のサイドリンク制御情報（２０６）の伝送に関する設定が、第２のサイドリンク制御情報（２０６）の伝送に関するアグリゲーションレベルを規定する、実施形態１から９のいずれか１つに記載の方法。
【０１３５】
実施形態１１：第２のサイドリンク制御情報（２０６）の伝送に関する設定が、第２のサイドリンク制御情報（２０６）の伝送に関する変調および／または符号化方式を規定する、実施形態１から１０のいずれか１つに記載の方法。
【０１３６】
実施形態１２：第１のサイドリンク制御情報（２０４）および第２のサイドリンク制御情報（２０６）の少なくとも一方が、第１のサイドリンク制御情報（２０４）および第２のサイドリンク制御情報（２０６）の両者の完全性を確認する共通エラー検出コードを含む、実施形態１から１１のいずれか１つに記載の方法。
【０１３７】
実施形態１３：無線機器（３０）が、無線通信ネットワークのノード（１００）から支援情報の少なくとも一部を受信することと、
無線機器（３０）が、受信した支援情報を格納することと、
を含む、実施形態１から１２のいずれか１つに記載の方法。
【０１３８】
実施形態１４：無線機器（３０）が、ノード（１００）のサービスエリアに入ったことに応答して、支援情報の少なくとも一部を受信することを含む、実施形態１３に記載の方法。
【０１３９】
実施形態１５：無線機器（３０）が、別の無線機器（２０）から支援情報の少なくとも一部を受信することを含む、実施形態１から１４のいずれか１つに記載の方法。
【０１４０】
実施形態１６：無線機器（３０）が、別の無線機器（２０）の無線カバレッジエリアに入ったことに応答して、支援情報の少なくとも一部を受信することを含む、実施形態１５に記載の方法。
【０１４１】
実施形態１７：無線機器（３０）が、当該無線機器（３０）からのリクエスト（３０６、３１３）に応答して、支援情報の少なくとも一部を受信することを含む、実施形態１３から１６のいずれか１つに記載の方法。
【０１４２】
実施形態１８：サイドリンク無線伝送（２０７、２０８）が、データチャネル上の伝送を含む、実施形態１から１７のいずれか１つに記載の方法。
【０１４３】
実施形態１９：サイドリンク無線伝送（２０７、２０８）が、１つまたは複数の参照信号の伝送を含む、実施形態１から１８のいずれか１つに記載の方法。
【０１４４】
実施形態２０：無線通信ネットワークにおいてサイドリンク無線伝送を制御する方法であって、
無線機器（２０）に格納された支援情報に基づいて、無線機器（２０）が、第１のサイドリンク制御情報（２０４）を決定することであり、支援情報が、第１のサイドリンク制御情報（２０４）を第２のサイドリンク制御情報（２０６）の伝送に関する設定に関連付ける、第１のサイドリンク制御情報（２０４）を決定することと、
無線機器（２０）が、第１のサイドリンク制御情報（２０４）を別の無線機器（３０）に送信することと、
設定に基づいて、無線機器（２０）が、第２のサイドリンク制御情報（２０６）を別の無線機器（３０）に送信することと、
第２のサイドリンク制御情報（２０６）に基づいて、無線機器（２０）が、サイドリンク無線伝送（２０７、２０８）を別の無線機器（３０）に送信することと、
を含む、方法。
【０１４５】
実施形態２１：支援情報が、第２のサイドリンク制御情報（２０６）の伝送に関する複数の候補設定を規定し、
第１のサイドリンク制御情報（２０４）が、候補設定の中で、第２のサイドリンク制御情報（２０６）の伝送に関する設定を識別する、実施形態２０に記載の方法。
【０１４６】
実施形態２２：第１のサイドリンク制御情報（２０４）が、候補設定の中で、第２のサイドリンク制御情報（２０６）の伝送に関する設定を識別するインデックスを含む、実施形態２１に記載の方法。
【０１４７】
実施形態２３：第１のサイドリンク制御情報（２０４）が、サイドリンク無線伝送（２０７、２０８）のための無線リソースの検知ベース割り当てに関する情報を含む、実施形態２０から２２のいずれか１つに記載の方法。
【０１４８】
実施形態２４：第２のサイドリンク制御情報（２０６）が、サイドリンク無線伝送（２０７、２０８）に用いられる無線リソース、サイドリンク無線伝送（２０７、２０８）に用いられる変調および／もしくは符号化方式、サイドリンク無線伝送（２０７、２０８）の１つもしくは複数の再送信パラメータ、ならびにサイドリンク無線伝送（２０７、２０８）の優先レベル、のうちの少なくとも１つを示す情報を含む、実施形態２０から２３のいずれか１つに記載の方法。
【０１４９】
実施形態２５：第２のサイドリンク制御情報（２０６）の伝送に関する設定の第１の部分が、第１のサイドリンク制御情報（２０４）により規定され、第２のサイドリンク制御情報（２０６）の伝送に関する設定の第２の部分が、支援情報により規定される、実施形態２０から２４のいずれか１つに記載の方法。
【０１５０】
実施形態２６：第２のサイドリンク制御情報（２０６）の伝送に関する設定が、第２のサイドリンク制御情報（２０６）の伝送のための検索空間を構成する無線リソースを規定する、実施形態２０から２５のいずれか１つに記載の方法。
【０１５１】
実施形態２７：第２のサイドリンク制御情報（２０６）の伝送に関する設定が、第２のサイドリンク制御情報（２０６）の伝送のための複数の検索空間を構成する無線リソースおよび複数の検索空間の優先順位を規定する、実施形態２６に記載の方法。
【０１５２】
実施形態２８：第２のサイドリンク制御情報（２０６）の伝送に関する設定が、第２のサイドリンク制御情報（２０６）の伝送に関するフォーマットを規定する、実施形態２０から２７のいずれか１つに記載の方法。
【０１５３】
実施形態２９：第２のサイドリンク制御情報（２０６）の伝送に関する設定が、第２のサイドリンク制御情報（２０６）の伝送に関するアグリゲーションレベルを規定する、実施形態２０から２８のいずれか１つに記載の方法。
【０１５４】
実施形態３０：第２のサイドリンク制御情報（２０６）の伝送に関する設定が、第２のサイドリンク制御情報（２０６）の伝送に関する変調および／または符号化方式を規定する、実施形態２０から２９のいずれか１つに記載の方法。
【０１５５】
実施形態３１：第１のサイドリンク制御情報（２０４）および第２のサイドリンク制御情報（２０６）の少なくとも一方が、第１のサイドリンク制御情報（２０４）および第２のサイドリンク制御情報（２０６）の両者の完全性を確認する共通エラー検出コードを含む、実施形態２０から３０のいずれか１つに記載の方法。
【０１５６】
実施形態３２：無線機器（２０）が、無線通信ネットワークのノード（１００）から支援情報の少なくとも一部を受信することと、
無線機器（２０）が、受信した支援情報を格納することと、
を含む、実施形態２０から３１のいずれか１つに記載の方法。
【０１５７】
実施形態３３：無線機器（２０）が、ノード（１００）のサービスエリアに入ったことに応答して、支援情報の少なくとも一部を受信することを含む、実施形態３２に記載の方法。
【０１５８】
実施形態３４：無線機器（２０）が、別の無線機器（３０）から支援情報の少なくとも一部を受信することを含む、実施形態２０から３３のいずれか１つに記載の方法。
【０１５９】
実施形態３５：無線機器（２０）が、別の無線機器（３０）の無線カバレッジエリアに入ったことに応答して、支援情報の少なくとも一部を受信することを含む、実施形態３４に記載の方法。
【０１６０】
実施形態３６：無線機器（２０）が、当該無線機器（２０）からのリクエスト（３０２）に応答して、支援情報の少なくとも一部を受信することを含む、実施形態３２から３５のいずれか１つに記載の方法。
【０１６１】
実施形態３７：サイドリンク無線伝送（２０７、２０８）が、データチャネル上の伝送を含む、実施形態２０から３６のいずれか１つに記載の方法。
【０１６２】
実施形態３８：サイドリンク無線伝送（２０７、２０８）が、１つまたは複数の参照信号の伝送を含む、実施形態２０から３７のいずれか１つに記載の方法。
【０１６３】
実施形態３９：無線通信ネットワークにおいてサイドリンク無線伝送を制御する方法であって、
支援情報を第１の無線機器（２０）に提供することと、
支援情報を第２の無線機器（３０）に提供することであり、支援情報が、第１の無線機器（２０）から第２の無線機器（３０）に伝送された第１のサイドリンク制御情報（２０４）を第１の無線機器（２０）から第２の無線機器（３０）への第２のサイドリンク制御情報（２０６）の伝送に関する設定に関連付ける、支援情報を第２の無線機器（３０）に提供することと、
を含む、方法。
【０１６４】
実施形態４０：支援情報が、第２のサイドリンク制御情報（２０６）の伝送に関する複数の候補設定を規定し、
第１のサイドリンク制御情報（２０４）が、候補設定の中で、第２のサイドリンク制御情報（２０６）の伝送に関する設定を識別する、実施形態３９に記載の方法。
【０１６５】
実施形態４１：第１のサイドリンク制御情報（２０４）が、候補設定の中で、第２のサイドリンク制御情報（２０６）の伝送に関する設定を識別するインデックスを含む、実施形態４０に記載の方法。
【０１６６】
実施形態４２：第１のサイドリンク制御情報（２０４）が、サイドリンク無線伝送（２０７、２０８）のための無線リソースの検知ベース割り当てに関する情報を含む、実施形態３９から４１のいずれか１つに記載の方法。
【０１６７】
実施形態４３：第２のサイドリンク制御情報（２０６）が、サイドリンク無線伝送（２０７、２０８）に用いられる無線リソース、サイドリンク無線伝送（２０７、２０８）に用いられる変調および／もしくは符号化方式、サイドリンク無線伝送（２０７、２０８）の１つもしくは複数の再送信パラメータ、ならびにサイドリンク無線伝送（２０７、２０８）の優先レベル、のうちの少なくとも１つを示す情報を含む、実施形態３９から４２のいずれか１つに記載の方法。
【０１６８】
実施形態４４：第２のサイドリンク制御情報（２０６）の伝送に関する設定の第１の部分が、第１のサイドリンク制御情報（２０４）により規定され、第２のサイドリンク制御情報（２０６）の伝送に関する設定の第２の部分が、支援情報により規定される、実施形態３９から４３のいずれか１つに記載の方法。
【０１６９】
実施形態４５：第２のサイドリンク制御情報（２０６）の伝送に関する設定が、第２のサイドリンク制御情報（２０６）の伝送のための検索空間を構成する無線リソースを規定する、実施形態３９から４４のいずれか１つに記載の方法。
【０１７０】
実施形態４６：第２のサイドリンク制御情報（２０６）の伝送に関する設定が、第２のサイドリンク制御情報（２０６）の伝送のための複数の検索空間を構成する無線リソースおよび複数の検索空間の優先順位を規定する、実施形態４５に記載の方法。
【０１７１】
実施形態４７：第２のサイドリンク制御情報（２０６）の伝送に関する設定が、第２のサイドリンク制御情報（２０６）の伝送に関するフォーマットを規定する、実施形態３９から４６のいずれか１つに記載の方法。
【０１７２】
実施形態４８：第２のサイドリンク制御情報（２０６）の伝送に関する設定が、第２のサイドリンク制御情報（２０６）の伝送に関するアグリゲーションレベルを規定する、実施形態３９から４７のいずれか１つに記載の方法。
【０１７３】
実施形態４９：第２のサイドリンク制御情報（２０６）の伝送に関する設定が、第２のサイドリンク制御情報（２０６）の伝送に関する変調および／または符号化方式を規定する、実施形態３９から４８のいずれか１つに記載の方法。
【０１７４】
実施形態５０：無線通信ネットワークのノード（１００）が、第１の無線機器（２０）および／または第２の無線機器（３０）が当該ノード（１００）のサービスエリア（１０１）に入ったことに応答して、支援情報を送信することを含む、実施形態３９から４９のいずれか１つに記載の方法。
【０１７５】
実施形態５１：無線通信ネットワークのノード（１００）が、第１の無線機器（２０）からのリクエスト（３０２、３０６）および／または第２の無線機器（３０）からのリクエストに応答して、支援情報を送信することを含む、実施形態３９から５０のいずれか１つに記載の方法。
【０１７６】
実施形態５２：無線通信ネットワークのノード（１００）が、第１の無線機器（２０）を介して支援情報を第２の無線機器（３０）に送信することを含む、実施形態３９から５１のいずれか１つに記載の方法。
【０１７７】
実施形態５３：無線通信ネットワークのノード（１００）が、第２の無線機器（３０）を介して支援情報を第１の無線機器（２０）に送信することを含む、実施形態３９から５２のいずれか１つに記載の方法。
【０１７８】
実施形態５４：サイドリンク無線伝送（２０７、２０８）が、データチャネル上の伝送を含む、実施形態３９から５３のいずれか１つに記載の方法。
【０１７９】
実施形態５５：サイドリンク無線伝送（２０７、２０８）が、１つまたは複数の参照信号の伝送を含む、実施形態３９から５４のいずれか１つに記載の方法。
【０１８０】
実施形態５６：無線通信ネットワークの無線機器（３０）であって、
別の無線機器（２０）から第１のサイドリンク制御情報（２０４）を受信することと、
無線機器（３０）に格納された支援情報および受信した第１のサイドリンク制御情報（２０４）に基づいて、第２のサイドリンク制御情報（２０６）の伝送に関する設定を決定することと、
第２のサイドリンク制御情報（２０６）の伝送に関する決定した設定に基づいて、別の無線機器（２０）から第２のサイドリンク制御情報（２０６）を受信することと、
受信した第２のサイドリンク制御情報（２０６）に基づいて、別の無線機器（２０）からのサイドリンク無線伝送（２０７、２０８）を受信することと、
を行うように構成された、無線機器（３０）。
【０１８１】
実施形態５７：支援情報が、第２のサイドリンク制御情報（２０６）の伝送に関する複数の候補設定を規定し、
第１のサイドリンク制御情報（２０４）が、候補設定の中で、第２のサイドリンク制御情報（２０６）の伝送に関する設定を識別する、実施形態５６に記載の無線機器（３０）。
【０１８２】
実施形態５８：第１のサイドリンク制御情報（２０４）が、候補設定の中で、第２のサイドリンク制御情報（２０６）の伝送に関する設定を識別するインデックスを含む、実施形態５７に記載の無線機器（３０）。
【０１８３】
実施形態５９：第１のサイドリンク制御情報（２０４）が、サイドリンク無線伝送（２０７、２０８）のための無線リソースの検知ベース割り当てに関する情報を含む、実施形態５６から５８のいずれか１つに記載の無線機器（３０）。
【０１８４】
実施形態６０：第２のサイドリンク制御情報（２０６）が、サイドリンク無線伝送（２０７、２０８）に用いられる無線リソース、サイドリンク無線伝送（２０７、２０８）に用いられる変調および／もしくは符号化方式、サイドリンク無線伝送（２０７、２０８）の１つもしくは複数の再送信パラメータ、ならびにサイドリンク無線伝送（２０７、２０８）の優先レベル、のうちの少なくとも１つを示す情報を含む、実施形態５６から５９のいずれか１つに記載の無線機器（３０）。
【０１８５】
実施形態６１：第２のサイドリンク制御情報（２０６）の伝送に関する設定の第１の部分が、第１のサイドリンク制御情報（２０４）により規定され、第２のサイドリンク制御情報（２０６）の伝送に関する設定の第２の部分が、支援情報により規定される、実施形態５６から６０のいずれか１つに記載の無線機器（３０）。
【０１８６】
実施形態６２：第２のサイドリンク制御情報（２０６）の伝送に関する設定が、第２のサイドリンク制御情報（２０６）の伝送のための検索空間を構成する無線リソースを規定する、実施形態５６から６１のいずれか１つに記載の無線機器（３０）。
【０１８７】
実施形態６３：第２のサイドリンク制御情報（２０６）の伝送に関する設定が、第２のサイドリンク制御情報（２０６）の伝送のための複数の検索空間を構成する無線リソースおよび複数の検索空間の優先順位を規定する、実施形態６２に記載の無線機器（３０）。
【０１８８】
実施形態６４：第２のサイドリンク制御情報（２０６）の伝送に関する設定が、第２のサイドリンク制御情報（２０６）の伝送に関するフォーマットを規定する、実施形態５６から６３のいずれか１つに記載の無線機器（３０）。
【０１８９】
実施形態６５：第２のサイドリンク制御情報（２０６）の伝送に関する設定が、第２のサイドリンク制御情報（２０６）の伝送に関するアグリゲーションレベルを規定する、実施形態５６から６４のいずれか１つに記載の無線機器（３０）。
【０１９０】
実施形態６６：第２のサイドリンク制御情報（２０６）の伝送に関する設定が、第２のサイドリンク制御情報（２０６）の伝送に関する変調および／または符号化方式を規定する、実施形態５６から６５のいずれか１つに記載の無線機器（３０）。
【０１９１】
実施形態６７：第１のサイドリンク制御情報（２０４）および第２のサイドリンク制御情報（２０６）の少なくとも一方が、第１のサイドリンク制御情報（２０４）および第２のサイドリンク制御情報（２０６）の両者の完全性を確認する共通エラー検出コードを含む、実施形態５６から６６のいずれか１つに記載の無線機器（３０）。
【０１９２】
実施形態６８：無線通信ネットワークのノード（１００）から支援情報の少なくとも一部を受信することと、
受信した支援情報を格納することと、
を行うように構成された、実施形態５６から６７のいずれか１つに記載の無線機器（３０）。
【０１９３】
実施形態６９：当該無線機器（３０）がノード（１００）のサービスエリアに入ったことに応答して、支援情報の少なくとも一部を受信するように構成された、実施形態１３に記載の無線機器（３０）。
【０１９４】
実施形態７０：別の無線機器（２０）から支援情報の少なくとも一部を受信するように構成された、実施形態５６から６９のいずれか１つに記載の無線機器（３０）。
【０１９５】
実施形態７１：当該無線機器（３０）が別の無線機器（２０）の無線カバレッジエリアに入ったことに応答して、支援情報の少なくとも一部を受信するように構成された、実施形態７０に記載の無線機器（３０）。
【０１９６】
実施形態７２：当該無線機器（３０）からのリクエスト（３０６、３１３）に応答して、支援情報の少なくとも一部を受信するように構成された、実施形態６８から７１のいずれか１つに記載の無線機器（３０）。
【０１９７】
実施形態７３：サイドリンク無線伝送（２０７、２０８）が、データチャネル上の伝送を含む、実施形態５６から７２のいずれか１つに記載の無線機器（３０）。
【０１９８】
実施形態７４：サイドリンク無線伝送（２０７、２０８）が、１つまたは複数の参照信号の伝送を含む、実施形態５６から７３のいずれか１つに記載の無線機器（３０）。
【０１９９】
実施形態７５：実施形態１から１９のいずれか１つに記載の方法のステップを実行するように構成された、実施形態５６に記載の無線機器（３０）。
【０２００】
実施形態７６：少なくとも１つのプロセッサと、前記少なくとも１つのプロセッサにより実行可能な命令を含むメモリであって、前記少なくとも１つのプロセッサによる実行によって、当該無線機器（３０）が実施形態１から１９のいずれか１つに記載の方法を実行するように動作可能な命令を含むメモリと、を備えた、実施形態５６から７５のいずれか１つに記載の無線機器（３０）。
【０２０１】
実施形態７７：無線通信ネットワークの無線機器（２０）であって、
当該無線機器（２０）に格納された支援情報に基づいて、第１のサイドリンク制御情報（２０４）を決定することであり、支援情報が、第１のサイドリンク制御情報（２０４）を第２のサイドリンク制御情報（２０６）の伝送に関する設定に関連付ける、第１のサイドリンク制御情報（２０４）を決定することと、
第１のサイドリンク制御情報（２０４）を別の無線機器（３０）に送信することと、
設定に基づいて、第２のサイドリンク制御情報（２０６）を別の無線機器（３０）に送信することと、
第２のサイドリンク制御情報（２０６）に基づいて、サイドリンク無線伝送（２０７、２０８）を別の無線機器（３０）に送信することと、
を行うように構成された、無線機器（２０）。
【０２０２】
実施形態７８：支援情報が、第２のサイドリンク制御情報（２０６）の伝送に関する複数の候補設定を規定し、
第１のサイドリンク制御情報（２０４）が、候補設定の中で、第２のサイドリンク制御情報（２０６）の伝送に関する設定を識別する、実施形態７７に記載の無線機器（２０）。
【０２０３】
実施形態７９：第１のサイドリンク制御情報（２０４）が、候補設定の中で、第２のサイドリンク制御情報（２０６）の伝送に関する設定を識別するインデックスを含む、実施形態７８に記載の無線機器（２０）。
【０２０４】
実施形態８０：第１のサイドリンク制御情報（２０４）が、サイドリンク無線伝送（２０７、２０８）のための無線リソースの検知ベース割り当てに関する情報を含む、実施形態７７から７９のいずれか１つに記載の無線機器（２０）。
【０２０５】
実施形態８１：第２のサイドリンク制御情報（２０６）が、サイドリンク無線伝送（２０７、２０８）に用いられる無線リソース、サイドリンク無線伝送（２０７、２０８）に用いられる変調および／もしくは符号化方式、サイドリンク無線伝送（２０７、２０８）の１つもしくは複数の再送信パラメータ、ならびにサイドリンク無線伝送（２０７、２０８）の優先レベル、のうちの少なくとも１つを示す情報を含む、実施形態７７から８０のいずれか１つに記載の無線機器（２０）。
【０２０６】
実施形態８２：第２のサイドリンク制御情報（２０６）の伝送に関する設定の第１の部分が、第１のサイドリンク制御情報（２０４）により規定され、第２のサイドリンク制御情報（２０６）の伝送に関する設定の第２の部分が、支援情報により規定される、実施形態７７から８１のいずれか１つに記載の無線機器（２０）。
【０２０７】
実施形態８３：第２のサイドリンク制御情報（２０６）の伝送に関する設定が、第２のサイドリンク制御情報（２０６）の伝送のための検索空間を構成する無線リソースを規定する、実施形態７７から８２のいずれか１つに記載の無線機器（２０）。
【０２０８】
実施形態８４：第２のサイドリンク制御情報（２０６）の伝送に関する設定が、第２のサイドリンク制御情報（２０６）の伝送のための複数の検索空間を構成する無線リソースおよび複数の検索空間の優先順位を規定する、実施形態８３に記載の無線機器（２０）。
【０２０９】
実施形態８５：第２のサイドリンク制御情報（２０６）の伝送に関する設定が、第２のサイドリンク制御情報（２０６）の伝送に関するフォーマットを規定する、実施形態７７から８４のいずれか１つに記載の無線機器（２０）。
【０２１０】
実施形態８６：第２のサイドリンク制御情報（２０６）の伝送に関する設定が、第２のサイドリンク制御情報（２０６）の伝送に関するアグリゲーションレベルを規定する、実施形態７７から８５のいずれか１つに記載の無線機器（２０）。
【０２１１】
実施形態８７：第２のサイドリンク制御情報（２０６）の伝送に関する設定が、第２のサイドリンク制御情報（２０６）の伝送に関する変調および／または符号化方式を規定する、実施形態７７から８６のいずれか１つに記載の無線機器（２０）。
【０２１２】
実施形態８８：第１のサイドリンク制御情報（２０４）および第２のサイドリンク制御情報（２０６）の少なくとも一方が、第１のサイドリンク制御情報（２０４）および第２のサイドリンク制御情報（２０６）の両者の完全性を確認する共通エラー検出コードを含む、実施形態７７から８７のいずれか１つに記載の無線機器（２０）。
【０２１３】
実施形態８９：無線機器（２０）が、
無線通信ネットワークのノード（１００）から支援情報の少なくとも一部を受信することと、
受信した支援情報を格納することと、
を行うように構成された、実施形態７７から８８のいずれか１つに記載の無線機器（２０）。
【０２１４】
実施形態９０：当該無線機器（２０）がノード（１００）のサービスエリアに入ったことに応答して、支援情報の少なくとも一部を受信するように構成された、実施形態８９に記載の無線機器（２０）。
【０２１５】
実施形態９１：別の無線機器（３０）から支援情報の少なくとも一部を受信するように構成された、実施形態７７から９０のいずれか１つに記載の無線機器（２０）。
【０２１６】
実施形態９２：当該無線機器（２０）が別の無線機器（３０）の無線カバレッジエリアに入ったことに応答して、支援情報の少なくとも一部を受信するように構成された、実施形態９１に記載の無線機器（２０）。
【０２１７】
実施形態９３：当該無線機器（２０）からのリクエスト（３０２）に応答して、支援情報の少なくとも一部を受信するように構成された、実施形態７７から９２のいずれか１つに記載の無線機器（２０）。
【０２１８】
実施形態９４：サイドリンク無線伝送（２０７、２０８）が、データチャネル上の伝送を含む、実施形態７７から９３のいずれか１つに記載の無線機器（２０）。
【０２１９】
実施形態９５：サイドリンク無線伝送（２０７、２０８）が、１つまたは複数の参照信号の伝送を含む、実施形態７７から９４のいずれか１つに記載の無線機器（２０）。
【０２２０】
実施形態９６：実施形態２０から３８のいずれか１つに記載の方法のステップを実行するように構成された、実施形態７７に記載の無線機器（２０）。
【０２２１】
実施形態９７：少なくとも１つのプロセッサと、前記少なくとも１つのプロセッサにより実行可能な命令を含むメモリであって、前記少なくとも１つのプロセッサによる実行によって、当該無線機器（２０）が実施形態２０から３８のいずれか１つに記載の方法を実行するように動作可能な命令を含むメモリと、を備えた、実施形態７７から９６のいずれか１つに記載の無線機器（２０）。
【０２２２】
実施形態９８：無線通信ネットワークのノード（１００）であって、
支援情報を第１の無線機器（２０）に提供することと、
支援情報を第２の無線機器（３０）に提供することであり、支援情報が、第１の無線機器（２０）から第２の無線機器（３０）に伝送された第１のサイドリンク制御情報（２０４）を第１の無線機器（２０）から第２の無線機器（３０）への第２のサイドリンク制御情報（２０６）の伝送に関する設定に関連付ける、支援情報を第２の無線機器（３０）に提供することと、
を行うように構成された、無線機器（１００）。
【０２２３】
実施形態９９：支援情報が、第２のサイドリンク制御情報（２０６）の伝送に関する複数の候補設定を規定し、
第１のサイドリンク制御情報（２０４）が、候補設定の中で、第２のサイドリンク制御情報（２０６）の伝送に関する設定を識別する、実施形態９８に記載のノード（１００）。
【０２２４】
実施形態１００：第１のサイドリンク制御情報（２０４）が、候補設定の中で、第２のサイドリンク制御情報（２０６）の伝送に関する設定を識別するインデックスを含む、実施形態９９に記載のノード（１００）。
【０２２５】
実施形態１０１：第１のサイドリンク制御情報（２０４）が、サイドリンク無線伝送（２０７、２０８）のための無線リソースの検知ベース割り当てに関する情報を含む、実施形態９８から１００のいずれか１つに記載のノード（１００）。
【０２２６】
実施形態１０２：第２のサイドリンク制御情報（２０６）が、サイドリンク無線伝送（２０７、２０８）に用いられる無線リソース、サイドリンク無線伝送（２０７、２０８）に用いられる変調および／もしくは符号化方式、サイドリンク無線伝送（２０７、２０８）の１つもしくは複数の再送信パラメータ、ならびにサイドリンク無線伝送（２０７、２０８）の優先レベル、のうちの少なくとも１つを示す情報を含む、実施形態９８から１０１のいずれか１つに記載のノード（１００）。
【０２２７】
実施形態１０３：第２のサイドリンク制御情報（２０６）の伝送に関する設定の第１の部分が、第１のサイドリンク制御情報（２０４）により規定され、第２のサイドリンク制御情報（２０６）の伝送に関する設定の第２の部分が、支援情報により規定される、実施形態９８から１０２のいずれか１つに記載のノード（１００）。
【０２２８】
実施形態１０４：第２のサイドリンク制御情報（２０６）の伝送に関する設定が、第２のサイドリンク制御情報（２０６）の伝送のための検索空間を構成する無線リソースを規定する、実施形態９８から１０３のいずれか１つに記載のノード（１００）。
【０２２９】
実施形態１０５：第２のサイドリンク制御情報（２０６）の伝送に関する設定が、第２のサイドリンク制御情報（２０６）の伝送のための複数の検索空間を構成する無線リソースおよび複数の検索空間の優先順位を規定する、実施形態１０４に記載のノード（１００）。
【０２３０】
実施形態１０６：第２のサイドリンク制御情報（２０６）の伝送に関する設定が、第２のサイドリンク制御情報（２０６）の伝送に関するフォーマットを規定する、実施形態９８から１０５のいずれか１つに記載のノード（１００）。
【０２３１】
実施形態１０７：第２のサイドリンク制御情報（２０６）の伝送に関する設定が、第２のサイドリンク制御情報（２０６）の伝送に関するアグリゲーションレベルを規定する、実施形態９８から１０６のいずれか１つに記載のノード（１００）。
【０２３２】
実施形態１０８：第２のサイドリンク制御情報（２０６）の伝送に関する設定が、第２のサイドリンク制御情報（２０６）の伝送に関する変調および／または符号化方式を規定する、実施形態９８から１０７のいずれか１つに記載のノード（１００）。
【０２３３】
実施形態１０９：第１の無線機器（２０）および／または第２の無線機器（３０）が当該ノード（１００）のサービスエリア（１０１）に入ったことに応答して、支援情報を送信するように構成された、実施形態９８から１０８のいずれか１つに記載のノード（１００）。
【０２３４】
実施形態１１０：第１の無線機器（２０）からのリクエスト（３０２、３０６）および／または第２の無線機器（３０）からのリクエストに応答して、支援情報を送信するように構成された、実施形態９８から１０９のいずれか１つに記載のノード（１００）。
【０２３５】
実施形態１１１：第１の無線機器（２０）を介して支援情報を第２の無線機器（３０）に送信するように構成された、実施形態９８から１１０のいずれか１つに記載のノード（１００）。
【０２３６】
実施形態１１２：第２の無線機器（３０）を介して支援情報を第１の無線機器（２０）に送信するように構成された、実施形態９８から１１１のいずれか１つに記載のノード（１００）。
【０２３７】
実施形態１１３：サイドリンク無線伝送（２０７、２０８）が、データチャネル上の伝送を含む、実施形態９８から１１２のいずれか１つに記載のノード（１００）。
【０２３８】
実施形態１１４：サイドリンク無線伝送（２０７、２０８）が、１つまたは複数の参照信号の伝送を含む、実施形態９８から１１３のいずれか１つに記載のノード（１００）。
【０２３９】
実施形態１１５：実施形態３９から５５のいずれか１つに記載の方法のステップを実行するように構成された、実施形態９８に記載のノード（１００）。
【０２４０】
実施形態１１６：少なくとも１つのプロセッサと、前記少なくとも１つのプロセッサにより実行可能な命令を含むメモリであって、前記少なくとも１つのプロセッサによる実行によって、当該ノード（１００）が実施形態３９から５５のいずれか１つに記載の方法を実行するように動作可能な命令を含むメモリと、を備えた、実施形態９８から１１５のいずれか１つに記載のノード（１００）。
【０２４１】
実施形態１１７：支援情報を格納した第１の無線機器（２０）および第２の無線機器（３０）を備えたシステムであって、
第１の無線機器（２０）が、
当該第１の無線機器（２０）に格納された支援情報に基づいて、第１のサイドリンク制御情報（２０４）を決定することであり、支援情報が、第１のサイドリンク制御情報（２０４）を第２のサイドリンク制御情報（２０６）の伝送に関する設定に関連付ける、第１のサイドリンク制御情報（２０４）を決定することと、
第１のサイドリンク制御情報（２０４）を第２の無線機器（３０）に送信することと、
設定に基づいて、第２のサイドリンク制御情報（２０６）を第２の無線機器（３０）に送信することと、
第２のサイドリンク制御情報（２０６）に基づいて、サイドリンク無線伝送（２０７、２０８）を第２の無線機器（３０）に送信することと、
を行うように構成され、
第２の無線機器（３０）が、
第１の無線機器（２０）から第１のサイドリンク制御情報（２０４）を受信することと、
第２の無線機器（３０）に格納された支援情報および受信した第１のサイドリンク制御情報（２０４）に基づいて、第２のサイドリンク制御情報（２０６）の伝送に関する設定を決定することと、
第２のサイドリンク制御情報（２０６）の伝送に関する決定した設定に基づいて、第１の無線機器（２０）から第２のサイドリンク制御情報（２０６）を受信することと、
受信した第２のサイドリンク制御情報（２０６）に基づいて、第１の無線機器（２０）からのサイドリンク無線伝送（２０７、２０８）を受信することと、
を行うように構成された、システム。
【０２４２】
実施形態１１８：無線通信ネットワークのノード（１００）であり、支援情報を第１の無線機器（２０）および／または第２の無線機器（３０）に提供するように構成された、ノード（１００）をさらに備えた、実施形態１１７に記載のシステム。
【０２４３】
実施形態１１９：無線機器（３０、２０）の少なくとも１つのプロセッサにより実行されるプログラムコードを含むコンピュータプログラムであって、プログラムコードの実行により、無線機器（３０、２０）が、実施形態１から３８のいずれか１つに記載の方法を実行する、コンピュータプログラム。
【０２４４】
実施形態１２０：無線機器（３０、２０）の少なくとも１つのプロセッサにより実行されるプログラムコードを含むコンピュータプログラム製品であって、プログラムコードの実行により、無線機器（３０、２０）が、実施形態１から３８のいずれか１つに記載の方法を実行する、コンピュータプログラム製品。
【０２４５】
実施形態１２１：無線通信ネットワークのノード（１００）の少なくとも１つのプロセッサにより実行されるプログラムコードを含むコンピュータプログラムであって、プログラムコードの実行により、ノード（１００）が、実施形態３９から５５のいずれか１つに記載の方法を実行する、コンピュータプログラム。
【０２４６】
実施形態１２２：無線通信ネットワークのノード（１００）の少なくとも１つのプロセッサにより実行されるプログラムコードを含むコンピュータプログラム製品であって、プログラムコードの実行により、ノード（１００）が、実施形態３９から５５のいずれか１つに記載の方法を実行する、コンピュータプログラム製品。
【図１】
2021520724.tif 000003
【図２】
2021520724.tif 000004
【図３Ａ】
2021520724.tif 000005
【図３Ｂ】
2021520724.tif 000006
【図３Ｃ】
2021520724.tif 000007
【図４】
2021520724.tif 000008
【図５】
2021520724.tif 000009
【図６】
2021520724.tif 000010
【図７】
2021520724.tif 000011
【図８】
2021520724.tif 000012
【図９】
2021520724.tif 000013
【図１０】
2021520724.tif 000014
【図１１】
2021520724.tif 000015
【図１２】
2021520724.tif 000016
【図１３】
2021520724.tif 000017
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
無線通信ネットワークにおいてサイドリンク無線伝送を制御する方法であって、
無線機器（３０）が、別の無線機器（２０）から第１のサイドリンク制御情報（２０４）を受信することと、
前記無線機器（３０）に格納された支援情報および前記受信した第１のサイドリンク制御情報（２０４）に基づいて、前記無線機器（３０）が、第２のサイドリンク制御情報（２０６）の伝送に関する設定を決定することと、
前記第２のサイドリンク制御情報（２０６）の伝送に関する前記決定した設定に基づいて、前記無線機器（３０）が、前記別の無線機器（２０）から前記第２のサイドリンク制御情報（２０６）を受信することと、
前記受信した第２のサイドリンク制御情報（２０６）に基づいて、前記無線機器（３０）が、前記別の無線機器（２０）からのサイドリンク無線伝送（２０７、２０８）を受信することと、
を含む、方法。
【請求項２】
無線通信ネットワークにおいてサイドリンク無線伝送を制御する方法であって、
無線機器（２０）に格納された支援情報に基づいて、前記無線機器（２０）が、第１のサイドリンク制御情報（２０４）を決定することであり、前記支援情報が、前記第１のサイドリンク制御情報（２０４）を第２のサイドリンク制御情報（２０６）の伝送に関する設定に関連付ける、第１のサイドリンク制御情報（２０４）を決定することと、
前記無線機器（２０）が、前記第１のサイドリンク制御情報（２０４）を別の無線機器（３０）に送信することと、
前記設定に基づいて、前記無線機器（２０）が、前記第２のサイドリンク制御情報（２０６）を前記別の無線機器（３０）に送信することと、
前記第２のサイドリンク制御情報（２０６）に基づいて、前記無線機器（２０）が、サイドリンク無線伝送（２０７、２０８）を前記別の無線機器（３０）に送信することと、
を含む、方法。
【請求項３】
前記支援情報が、前記第２のサイドリンク制御情報（２０６）の伝送に関する複数の候補設定を規定し、
前記第１のサイドリンク制御情報（２０４）が、前記候補設定の中で、前記第２のサイドリンク制御情報（２０６）の伝送に関する前記設定を識別する、請求項１または２に記載の方法。
【請求項４】
前記第１のサイドリンク制御情報（２０４）が、前記候補設定の中で、前記第２のサイドリンク制御情報（２０６）の伝送に関する前記設定を識別するインデックスを含む、請求項１または２に記載の方法。
【請求項５】
前記第２のサイドリンク制御情報（２０６）が、前記サイドリンク無線伝送（２０７、２０８）に用いられる無線リソース、前記サイドリンク無線伝送（２０７、２０８）に用いられる変調および／もしくは符号化方式、前記サイドリンク無線伝送（２０７、２０８）の１つもしくは複数の再送信パラメータ、ならびに前記サイドリンク無線伝送（２０７、２０８）の優先レベル、のうちの少なくとも１つを示す情報を含む、請求項１または２に記載の方法。
【請求項６】
前記第２のサイドリンク制御情報（２０６）の伝送に関する前記設定の第１の部分が、前記第１のサイドリンク制御情報（２０４）により規定され、前記第２のサイドリンク制御情報（２０６）の伝送に関する前記設定の第２の部分が、前記支援情報により規定される、請求項１または２に記載の方法。
【請求項７】
前記第２のサイドリンク制御情報（２０６）の伝送に関する前記設定が、前記第２のサイドリンク制御情報（２０６）の伝送のための検索空間を構成する無線リソース、前記第２のサイドリンク制御情報（２０６）の伝送のための複数の検索空間を構成する無線リソースおよび前記複数の検索空間の優先順位、前記第２のサイドリンク制御情報（２０６）の伝送に関するフォーマット、前記第２のサイドリンク制御情報（２０６）の伝送に関するアグリゲーションレベル、前記第２のサイドリンク制御情報（２０６）の伝送に関する変調および／または符号化方式、の１つまたは複数を規定する、請求項１または２に記載の方法。
【請求項８】
前記無線機器（２０）が、前記無線通信ネットワークのノード（１００）から前記支援情報の少なくとも一部を受信することと、
前記無線機器（２０）が、前記受信した支援情報を格納することと、
を含む、請求項１または２に記載の方法。
【請求項９】
前記サイドリンク無線伝送（２０７、２０８）が、データチャネル上の伝送、および、１つまたは複数の参照信号の伝送の、１つまたは複数の伝送を含む、請求項１または２に記載の方法。
【請求項１０】
無線通信ネットワークにおいてサイドリンク無線伝送を制御する方法であって、
前記無線通信ネットワークのノード（１００）が、支援情報を第１の無線機器（２０）に提供することと、
前記無線通信ネットワークのノード（１００）が、前記支援情報を第２の無線機器（３０）に提供することと、を含み、
前記支援情報が、前記第１の無線機器（２０）から前記第２の無線機器（３０）に送信される第１のサイドリンク制御情報（２０４）を前記第１の無線機器（２０）から前記第２の無線機器（３０）への第２のサイドリンク制御情報（２０６）の伝送に関する設定に関連付け、前記第１のサイドリンク制御情報（２０４）は前記第１の無線機器（２０）から前記第２の無線機器（３０）への前記サイドリンク無線伝送（２０７、２０８）のための無線リソースの検知ベース割り当てに関する情報を含む、
方法。
【請求項１１】
前記無線通信ネットワークのノード（１００）が、前記第１の無線機器（２０）および／または前記第２の無線機器（３０）が前記ノード（１００）のサービスエリア（１０１）に入ったことに応答して、前記支援情報を送信すること、
前記無線通信ネットワークのノード（１００）が、前記第１の無線機器（２０）からのリクエスト（３０２、３０６）および／または前記第２の無線機器（３０）からのリクエストに応答して、前記支援情報を送信すること、
前記第１の無線機器（２０）を介して前記支援情報を前記第２の無線機器（３０）に送信すること、
前記第２の無線機器（３０）を介して前記支援情報を前記第１の無線機器（２０）に送信すること、のうちの１つまたは複数を含む、請求項１０に記載の方法。
【請求項１２】
無線通信ネットワークの無線機器（３０）であって、
別の無線機器（２０）から、サイドリンク無線伝送（２０７、２０８）のための無線リソースの検知ベース割り当てに関する情報を含む第１のサイドリンク制御情報（２０４）を受信することと、
前記無線機器（３０）に格納された支援情報および前記受信した第１のサイドリンク制御情報（２０４）に基づいて、第２のサイドリンク制御情報（２０６）の伝送に関する設定を決定することと、
前記第２のサイドリンク制御情報（２０６）の伝送に関する前記決定した設定に基づいて、前記別の無線機器（２０）から前記第２のサイドリンク制御情報（２０６）を受信することと、
前記受信した第２のサイドリンク制御情報（２０６）に基づいて、前記別の無線機器（２０）からのサイドリンク無線伝送（２０７、２０８）を受信することと、
を行うように構成された、無線機器（３０）。
【請求項１３】
請求項３から９のいずれか一項に記載の方法のステップを実行するように構成された、請求項１２に記載の無線機器（３０）。
【請求項１４】
無線通信ネットワークの無線機器（２０）であって、
前記無線機器（２０）に格納された支援情報に基づいて、第１のサイドリンク制御情報（２０４）を決定することであり、前記支援情報は前記第１のサイドリンク制御情報（２０４）を第２のサイドリンク制御情報（２０６）の伝送に関する設定に関連付け、前記第１のサイドリンク制御情報（２０４）はサイドリンク無線伝送（２０７、２０８）のための無線リソースの検知ベース割り当てに関する情報を含む、第１のサイドリンク制御情報（２０４）を決定することと、
前記第１のサイドリンク制御情報（２０４）を別の無線機器（３０）に送信することと、
前記設定に基づいて、前記第２のサイドリンク制御情報（２０６）を前記別の無線機器（３０）に送信することと、
前記第２のサイドリンク制御情報（２０６）に基づいて、サイドリンク無線伝送（２０７、２０８）を前記別の無線機器（３０）に送信することと、
を行うように構成された、無線機器（２０）。
【請求項１５】
請求項３から９のいずれか一項に記載の方法のステップを実行するように構成された、請求項１４に記載の無線機器（２０）。
【請求項１６】
無線通信ネットワークのノード（１００）であって、
支援情報を第１の無線機器（２０）に提供することと、
前記支援情報を第２の無線機器（３０）に提供することと、
を行うように構成され、
前記支援情報が、前記第１の無線機器（２０）から前記第２の無線機器（３０）に伝送される第１のサイドリンク制御情報（２０４）を前記第１の無線機器（２０）から前記第２の無線機器（３０）への第２のサイドリンク制御情報（２０６）の伝送に関する設定に関連付け、前記第１のサイドリンク制御情報（２０４）はサイドリンク無線伝送（２０７、２０８）のための無線リソースの検知ベース割り当てに関する情報を含む、
無線通信ネットワークのノード（１００）。
【請求項１７】
請求項１１に記載の方法のステップを実行するように構成された、請求項１６に記載のノード（１００）。
【請求項１８】
無線機器（３０、２０）の少なくとも１つのプロセッサにより実行されるプログラムコードを含むコンピュータプログラムであって、前記プログラムコードの実行により、前記無線機器（３０、２０）が、請求項１から９のいずれか一項に記載の方法を実行する、コンピュータプログラム。
【請求項１９】
無線通信ネットワークのノード（１００）の少なくとも１つのプロセッサにより実行されるプログラムコードを含むコンピュータプログラムであって、前記プログラムコードの実行により、前記ノード（１００）が、請求項１０または１１に記載の方法を実行する、コンピュータプログラム。
【国際調査報告】
2021520724.tif 000018
2021520724.tif 000019